(57)【要約】【課題】邪魔になる可能性を低減させたハブ装置を提供する。【解決手段】ハブ装置１は、ボディ２と、複数の端子部７と、取付部８と、を備える。複数の端子部７は、ボディ２に設けられる。複数の端子部７は、複数の配線を電気的に接続可能である。複数の配線は、通信用の複数の配線を少なくとも含む。取付部８は、建物の一部を構成する構造体３００にボディ２を取り付けるための部位である。【選択図】図２
2020043329.tif 000002
【特許請求の範囲】
【請求項１】
ボディと、
前記ボディに設けられ、通信用の複数の配線を少なくとも含む複数の配線を電気的に接続可能な複数の端子部と、
建物の一部を構成する構造体に前記ボディを取り付けるための取付部と、を備える、
ハブ装置。
【請求項２】
前記構造体は、前記建物の隠蔽部に露出する第１の面と、前記第１の面とは反対側の第２の面と、を含み、
前記ボディは、前記構造体の前記第１の面から前記第２の面までを貫く孔に挿入される挿入部を有する、
請求項１に記載のハブ装置。
【請求項３】
前記挿入部につながっており前記第２の面と向かい合う側から見て前記挿入部を基点として前記第２の面に沿った方向に延びているストッパを更に備える、
請求項２に記載のハブ装置。
【請求項４】
前記ボディは、前記挿入部につながっており前記第１の面と向かい合う側から見て前記挿入部を基点として前記第１の面に沿った方向に延びている延長部を更に有し、
前記複数の端子部のうち少なくとも１つは、前記延長部に設けられる、
請求項２又は３に記載のハブ装置。
【請求項５】
電子部品と、前記電子部品が実装された基板と、を含む実装基板を更に備え、
前記ボディは、内部に空間を有し、
前記実装基板は、前記ボディの内部の前記空間に配置されている、
請求項２〜４のいずれか一項に記載のハブ装置。
【請求項６】
前記ボディは、前記挿入部の上下方向の中心よりも上部につながっており前記第１の面と向かい合う側から見て前記挿入部を基点として前記第１の面に沿った方向に延びている延長部を更に有し、
前記延長部は、内部に空間を有し、
前記実装基板の少なくとも一部は、前記延長部の内部の前記空間に配置されている、
請求項５に記載のハブ装置。
【請求項７】
前記電子部品は、スイッチング素子である、
請求項６に記載のハブ装置。
【請求項８】
前記実装基板に接するヒートシンクを更に備える、
請求項５〜７のいずれか一項に記載のハブ装置。
【請求項９】
前記複数の端子部のうち少なくとも１つの端子部と一対一で対応し、開口部を含み前記開口部の周縁により前記少なくとも１つの端子部を覆う少なくとも１つのカバーを更に備え、
前記開口部は、下又は斜め下から見て前記少なくとも１つの端子部が露出するように形成されている、
請求項１〜８のいずれか一項に記載のハブ装置。
【請求項１０】
前記複数の端子部のうち少なくとも１つの端子部と一対一で対応し、開口部を含み前記開口部の周縁により前記少なくとも１つの端子部を覆う少なくとも１つのカバーを更に備え、
前記少なくとも１つの端子部は、前記開口部を通して前記複数の配線のうち少なくとも１つの配線を差込み接続可能に構成され、
前記開口部は、前記少なくとも１つのカバーのうち鉛直方向に対して斜めとなる面に形成されており前記少なくとも１つの端子部を露出させる、
請求項１〜９のいずれか一項に記載のハブ装置。
【請求項１１】
前記複数の端子部は、前記ボディの下の空間に露出している、
請求項１〜１０のいずれか一項に記載のハブ装置。
【請求項１２】
前記複数の端子部は、前記複数の配線を抜き差し可能に構成されている、
請求項１〜１１のいずれか一項に記載のハブ装置。
【請求項１３】
前記複数の端子部とは別に設けられ、前記複数の端子部に電気的に接続された前記複数の配線のうち少なくとも１つの配線を保持する保持部材を更に備える、
請求項１〜１２のいずれか一項に記載のハブ装置。
【請求項１４】
前記ボディは、前記構造体に取り付けられる前記取付部とは別体であり、前記取付部に取付け可能である、
請求項１〜１３のいずれか一項に記載のハブ装置。
【請求項１５】
前記ボディは、前記取付部に着脱可能である、
請求項１４に記載のハブ装置。
【請求項１６】
前記複数の端子部のうち少なくとも１つの端子部と一対一で対応し、開口部を含み前記開口部の周縁により前記少なくとも１つの端子部を覆う少なくとも１つのカバーを更に備え、
前記少なくとも１つの端子部は、前記開口部を通して前記複数の配線のうち少なくとも１つの配線を差込み接続可能に構成され、
前記複数の端子部は、第１の端子部と、前記第１の端子部とは別の機能を有する第２の端子部と、を含み、
前記第１の端子部において前記複数の配線のうち１つの配線が差し込まれる向きは、前記第２の端子部において前記複数の配線のうち１つの配線が差し込まれる向きとは異なる、
請求項１〜１５のいずれか一項に記載のハブ装置。
【請求項１７】
前記第１の端子部は、電力及び信号の少なくとも一方の入力用の端子部であり、
前記第２の端子部は、電力及び信号の少なくとも一方の出力用の端子部である、
請求項１６に記載のハブ装置。
【請求項１８】
前記複数の端子部は、電力及び信号の両方の入力用の端子部と、電力及び信号の両方の出力用の端子部とのうち、少なくとも一方を含む、
請求項１〜１７のいずれか一項に記載のハブ装置。
【請求項１９】
前記複数の端子部は、電力の入力用の端子部を含み、
電力の入力用の前記端子部は、電源から出力され電力変換器で変換された電力の入力を受け付ける、
請求項１〜１８のいずれか一項に記載のハブ装置。
【発明の詳細な説明】
【技術分野】
【０００１】
本開示はハブ装置に関し、より詳細には、通信用の配線を接続可能なハブ装置に関する。
【背景技術】
【０００２】
ハブ装置の従来例として、特許文献１記載のスイッチングハブ装置を例示する。特許文献１記載のスイッチングハブ装置は、コネクタが複数配置されたコネクタ群と、ロック解除部材と、を備える。コネクタは、ケーブルが挿入される穴及び挿入されたケーブルをロックするロック機構を有する。ロック解除部材は、ケーブルに設けられたロック解除機構を押圧してコネクタとのロックを解除する。
【先行技術文献】
【特許文献】
【０００３】
【特許文献１】特開２０１１−０４８６７６号公報
【発明の概要】
【発明が解決しようとする課題】
【０００４】
従来、ハブ装置はラックに置かれて使用される。しかしながら、ハブ装置を設置するためにラックが必要となると、ラックによって室内等のスペースを圧迫し邪魔になることがあった。
【０００５】
本開示は、邪魔になる可能性を低減させたハブ装置を提供することを目的とする。
【課題を解決するための手段】
【０００６】
本開示の一態様に係るハブ装置は、ボディと、複数の端子部と、取付部と、を備える。前記複数の端子部は、前記ボディに設けられる。前記複数の端子部は、複数の配線を電気的に接続可能である。前記複数の配線は、通信用の複数の配線を少なくとも含む。前記取付部は、建物の一部を構成する構造体に前記ボディを取り付けるための部位である。
【発明の効果】
【０００７】
本開示の一態様に係るハブ装置では、邪魔になる可能性が低減する。
【図面の簡単な説明】
【０００８】
【図１】図１は、実施形態１に係るハブ装置に機器等が接続されている状態を示す、概略ブロック図である。
【図２】図２は、同上のハブ装置の正面図である。
【図３】図３は、同上のハブ装置の側面図である。
【図４】図４は、取付部及び蓋部を取り外した状態における同上のハブ装置の下面図である。
【図５】図５は、同上のハブ装置の分解斜視図である。
【図６】図６は、同上のハブ装置の要部の正面斜視図である。
【図７】図７は、実施形態２に係るハブ装置の斜視図である。
【図８】図８は、同上のハブ装置のうち複数の端子部が設けられた面の平面図である。
【図９】図９は、実施形態３に係るハブ装置の斜視図である。
【図１０】図１０Ａは、実施形態４に係るハブ装置の正面図である。図１０Ｂは、同上のハブ装置の要部の下面図である。図１０Ｃは、同上のハブ装置の要部の側面図である。
【図１１】図１１は、実施形態５に係るハブ装置の分解斜視図である。
【図１２】図１２は、蓋部を取り外した状態における同上のハブ装置の斜視図である。
【図１３】図１３は、取付部及び蓋部を取り外した状態における同上のハブ装置の斜視図である。
【図１４】図１４は、キャップを取り外した状態における同上のハブ装置の平面図である。
【図１５】図１５は、同上のハブ装置の断面図である。
【発明を実施するための形態】
【０００９】
以下、実施形態に係るハブ装置について、図面を用いて説明する。ただし、下記の各実施形態は、本開示の様々な実施形態の一部に過ぎない。下記の各実施形態は、本開示の目的を達成できれば、設計等に応じて種々の変更が可能である。また、下記の各実施形態において説明する各図は、模式的な図であり、図中の各構成要素の大きさ及び厚さそれぞれの比が必ずしも実際の寸法比を反映しているとは限らない。
【００１０】
（実施形態１）
（ハブ装置の構成）
本実施形態のハブ装置１の構成について、まずは図１を参照して説明する。ハブ装置１は、より詳細には、複数の機器１００間で送受信される信号の衝突防止の処理を行うスイッチングハブ装置である。複数の機器１００は、例えば、コンピュータ端末、ネットワークカメラ、ＩＰ(Internet Protocol)電話及び、無線アクセスポイント等である。コンピュータ端末は、例えば、ハブ装置１の動作を設定する操作を受け付けるコントローラである。コントローラは、例えば、ハブ装置１との間でシリアル通信を行う。また、複数の機器１００の別の一例は、照明器具、空調機器及び音響機器等である。
【００１１】
ハブ装置１は、複数の端子部７（図２、４参照）を有している。ハブ装置１は、例えば、ＭＡＣ（Media Access Control address）アドレスと端子部７（ポート）との対応関係を記憶する機能を有するＬ２スイッチである。すなわち、ハブ装置１は、機器１００の識別情報（例えば、ＭＡＣアドレス）と当該機器１００に接続された端子部７との対応関係を示す対応テーブルを作成する機能を有する。この機能は、例えば、フォワーディングデータベース（Forwarding Database：ＦＤＢ）を作成する技術により実現され得る。フォワーディングデータベースを作成する技術は周知であるから説明は省略する。
【００１２】
ハブ装置１は、図２〜４に示すように、ボディ２と、複数（１２個）の端子部７と、取付部８と、を備えている。以下では、複数の端子部７を区別しない場合は、各々を端子部７と称し、複数の端子部７を区別する場合は、それぞれ端子部Ｐ１〜Ｐ１０、７１、７２と称す。
【００１３】
ハブ装置１は、複数（１２個）のカバー１１を更に備えている。複数のカバー１１はそれぞれ、筒状である。複数のカバー１１は、軸方向の第１端に開口部１２を含む。複数のカバー１１は、例えば、金属と樹脂とを材料として形成されている。カバー１１においては、筒状の金属の内面に樹脂が設けられている。複数のカバー１１は、複数の端子部７と一対一で対応する。複数のカバー１１はそれぞれ、対応する端子部７の周囲に設けられている。複数のカバー１１はそれぞれ、開口部１２の周縁により対応する端子部７を覆っている。
【００１４】
複数の端子部７は、ボディ２に設けられる。ボディ２には、複数の端子部Ｐ１〜Ｐ１０と一対一で対応する複数（１０個）の挿入孔４２１と、複数の端子部７１、７２と一対一で対応する複数（２つ）の挿入孔３２１と、が形成されている。複数の端子部７はそれぞれ、対応する挿入孔４２１又は３２１に挿入されており、対応する挿入孔４２１又は３２１を通してボディ２の外に露出している。
【００１５】
複数の端子部７のうち、複数の端子部Ｐ１〜Ｐ１０はそれぞれ、ＬＡＮ（Local Area Network）ポートである。複数の端子部Ｐ１〜Ｐ１０はそれぞれ、通信用の配線Ｗ１を電気的に接続可能である。すなわち、複数の端子部Ｐ１〜Ｐ１０は、これらと同数（１０本）の通信用の複数の配線Ｗ１を電気的に接続可能である。ここで、通信用の各配線Ｗ１は、電力及び信号の両方を伝送可能な配線である。より詳細には、通信用の各配線Ｗ１は、ＰｏＥ（Power over Ethernet）に対応した配線である。複数の端子部Ｐ１〜Ｐ１０のうち一部は、電力の入力と信号の入出力とのための端子部であり、複数の端子部Ｐ１〜Ｐ１０のうち残りの端子部は、電力の出力と信号の入出力とのための端子部である。
【００１６】
端子部７１は、ＬＡＮポートである。端子部７１は、通信用の配線Ｗ２を電気的に接続可能である。配線Ｗ２は、電力及び信号のうち信号のみを伝送可能な配線である。端子部７２は、給電用の配線Ｗ３を電気的に接続可能である。配線Ｗ３は、電力及び信号のうち電力のみを伝送可能な配線である。
【００１７】
各端子部７には対応する配線Ｗ１（又はＷ２、Ｗ３）を接続可能である一方で、各端子部７からは対応する配線Ｗ１（又はＷ２、Ｗ３）を取り外すことが可能である。すなわち、各端子部７は、対応する配線Ｗ１（又はＷ２、Ｗ３）を抜き差し可能に構成されている。より詳細には、各端子部７においては、対応するカバー１１の開口部１２を通して、対応する配線Ｗ１（又はＷ２、Ｗ３）を差込み接続することと、抜き取ることとが可能である。更に詳細には、各配線Ｗ１、Ｗ２の先端にはプラグが設けられており、プラグは爪を有している。配線Ｗ１（又はＷ２）が端子部７に電気的に接続された状態で、プラグの爪がカバー１１に引っ掛かることで、カバー１１に対してプラグがロックされる。プラグの爪がカバー１１から外れることで、カバー１１に対するプラグのロックが解除され、配線Ｗ１（又はＷ２）が端子部７から取り外し可能になる。一方で、配線Ｗ３にはねじを含む取付構造が設けられており、端子部７２の周囲のカバー１１と取付構造とがねじ止めされることで、配線Ｗ３が端子部７２に固定される。ねじを緩めることで、配線Ｗ３を端子部７２から取り外し可能になる。
【００１８】
図１に示すように、ハブ装置１と複数の配線Ｗ１とにより複数の機器１００間が接続されると、この複数の機器１００間での信号の伝送が可能となる。また、ハブ装置１は、複数の配線Ｗ１を介して、複数の機器１００のうちＰｏＥに対応した機器へ電力を供給することができる。ハブ装置１は、複数の配線Ｗ１を介して、複数の機器１００のうちＰｏＥに対応した機器から電力の供給を受けることもできる。
【００１９】
ハブ装置１には、複数の配線Ｗ１を接続できるので、配線Ｗ１を１つのみ接続可能な場合と比較して、伝送する電力の大きさの上限が大きい。また、複数の配線Ｗ１のうち一部の配線Ｗ１が不具合等により電力の伝送ができなくなった場合に、残りの配線Ｗ１により電力の伝送ができる。つまり、ハブ装置１における電力伝送の機能を冗長化できる。
【００２０】
ハブ装置１は、複数の配線Ｗ１を介して、商用電源ＰＳ１等の電源又は機器１００から電力の供給を受け、かつ、供給された電力を別の機器１００に供給することもできる（いわゆる、送り給電）。なお、ハブ装置１は、無線給電により、１又は複数の機器１００との間で給電及び受電のうち少なくとも一方を行ってもよい。これにより、例えば、ハブ装置１が設置された場所にある携帯端末等の機器に対して、ハブ装置１から無線給電することができる。
【００２１】
ハブ装置１の設定及び管理を行う管理装置１１０（コントローラ）とハブ装置１との間は配線Ｗ２により接続され、ハブ装置１は、管理装置１１０との間で信号の伝送を行う。ハブ装置１の外部には、電力変換器１２０が設けられる。電力変換器１２０は、交流電力を直流電力に変換する。電力変換器１２０は、例えば、天井裏の空間に配置される。電力変換器１２０は、商用電源ＰＳ１等の電源と接続される。ハブ装置１の端子部７２（図２参照）と電力変換器１２０との間は配線Ｗ３により接続され、ハブ装置１は、電力変換器１２０から（直流）電力の供給を受ける。すなわち、端子部７２は、電力の入力用の端子部であって、商用電源ＰＳ１等の電源から出力され電力変換器１２０で変換された電力の入力を受け付ける。電力変換器１２０から端子部７２に供給される直流電力の電圧は、例えば、５４Ｖである。電力変換器１２０は、ハブ装置１へだけではなく、天井に取り付けられた照明器具へも電力を供給してもよい。また、電力変換器１２０は、ハブ装置１に内蔵されていてもよい。
【００２２】
図２において、取付部８は、建物の一部を構成する構造体３００にボディ２を取り付けるための部材である。構造体３００の一例は、天井材（天井ボード等）、壁材、床材、梁及び柱である。本実施形態では、構造体３００は板状の天井材であるとして説明する。構造体３００の厚さは、例えば、２５ｍｍである。
【００２３】
ハブ装置１では、取付部８によりボディ２を構造体３００に取り付けることができる。そのため、ハブ装置１が机の上、棚（ラック）又はハブ装置１の収納用のボックス等に置かれる場合と比較して、ハブ装置１が邪魔になる可能性を低減できる。既存の机の上、棚又はボックスにハブ装置１を置くスペースを確保することが困難な場合であっても、ハブ装置１を構造体３００に取り付けることで、ハブ装置１の設置場所を確保できる。また、建物内に新たにハブ装置１の設置用の棚又はボックスを設置するスペースを確保することが困難な場合でも、ハブ装置１を構造体３００に取り付けることで、ハブ装置１の設置場所を確保できる。
【００２４】
近年ではＩｏＴ（Internet of Things）機器の普及により、センサ等、多くの機器が建物内の空間に設置され、これらの機器と通信するハブ装置１を設置する場所の確保が困難となる問題が起こり得る。このような問題に対して、ハブ装置１を構造体３００に取り付けることで対処できる。
【００２５】
また、ハブ装置１と接続される機器１００が天井裏の空間に配置される場合は、ハブ装置１が机の上、棚又はボックス等に置かれる場合と比較して、天井裏から室内に延びる配線の本数を減らせる。したがって、室内の見栄えを改善できる。
【００２６】
構造体３００は、第１の面３０１と、第１の面３０１とは反対側の第２の面３０２と、を含む。第１の面３０１は、建物の隠蔽部４００に露出する。隠蔽部４００は、具体的には、天井裏の空間である。すなわち、構造体３００において、第１の面３０１が上面であり、第２の面３０２が下面である。なお、構造体３００が壁材である場合は、壁の裏の空間が隠蔽部４００に相当し、第１の面３０１は、壁のうち裏側の面となり、第２の面３０２は、壁のうち室内側の面となる。構造体３００が床材である場合は、床下の空間が隠蔽部４００に相当し、第１の面３０１は下面となり、第２の面３０２は上面となる。
【００２７】
構造体３００には、第１の面３０１から第２の面３０２までを貫く孔３３０が形成される。孔３３０は、円状である。孔３３０は、例えば、ホールソー等を用いて形成される。
【００２８】
ボディ２は、例えば、金属又は樹脂を材料として形成されている。図５に示すように、ボディ２は、孔３３０に挿入される挿入部３を有している。挿入部３は、半円柱状である。ボディ２が構造体３００に取り付けられた状態において、挿入部３の軸方向は、上下方向に沿う。以下では、ボディ２が構造体３００に取り付けられた状態における上下を、ハブ装置１の上下と規定する。ただし、この規定は、ハブ装置１の使用方向を限定する趣旨ではない。
【００２９】
挿入部３は、内部に空洞を有している。この空洞には、ハブ装置１をスイッチングハブ装置として機能させるための回路を実装した基板等が収容されている。
【００３０】
ボディ２は、挿入部３につながっている延長部４を更に有している。延長部４は、板状である。延長部４は、第１の面３０１と向かい合う側（上）から見て挿入部３を基点として第１の面３０１に沿った方向に延びている。より詳細には、延長部４は、挿入部３の軸方向の第１端（上端）から、軸方向と直交する向きに延びている。上下方向から見た延長部４の外周形状は、半円状である。上下方向から見て、延長部４と挿入部３とは同心かつ直径が等しい半円状である。上下方向から見て、延長部４は挿入部３よりも面積が大きい。
【００３１】
ハブ装置１は、延長部４に結合された保持部材５を更に備えている。保持部材５は、複数の配線（複数の配線Ｗ１及び配線Ｗ２、Ｗ３）を保持する。図５、６に示すように、保持部材５は、上下方向から見て長方形状の基端部５１と、基端部５１から突出した２つの腕部５２と、を有している。基端部５１は、板状である。基端部５１は、延長部４にねじ止めにより結合されている。２つの腕部５２は、板状である。各腕部５２は、上下方向から見て円弧状であり、円弧の径方向が各腕部５２の厚さ方向と一致する。２つの腕部５２は、基端部５１の長手方向の両端から突出している。２つの腕部５２の各々の突出先端５２１は、互いに隙間を空けて向かい合っている。また、２つの腕部５２の各々は、突出先端５２１において円弧の中心側へ屈曲している。２つの腕部５２は、撓むように弾性変形可能である。２つの腕部５２は、複数の端子部７（図４参照）とは別に設けられる。
【００３２】
図６に示すように、基端部５１と２つの腕部５２とに囲まれた空間５３には、複数の配線Ｗ１が通される。図６では図示を省略するが、空間５３には、配線Ｗ２、Ｗ３も通される。複数の配線Ｗ１及び配線Ｗ２、Ｗ３は、空間５３において上下方向に沿って配置される。これにより、複数の配線Ｗ１及び配線Ｗ２、Ｗ３は、上下方向と直交する方向への移動が規制される。すなわち、複数の配線Ｗ１及び配線Ｗ２、Ｗ３は、空間５３において保持部材５に保持される。例えば、複数の配線Ｗ１及び配線Ｗ２、Ｗ３が複数の端子部７（図２、４参照）に電気的に接続された後に、２つの腕部５２の隙間から複数の配線Ｗ１及び配線Ｗ２、Ｗ３が空間５３へ導入されることで、複数の配線Ｗ１及び配線Ｗ２、Ｗ３が保持部材５に保持される。
【００３３】
複数の配線Ｗ１及び配線Ｗ２、Ｗ３が保持部材５に保持されていれば、挿入部３、延長部４及び保持部材５を構造体３００に形成される孔３３０に挿入する又は孔３３０から引き出す際に、複数の配線Ｗ１及び配線Ｗ２、Ｗ３が邪魔になる可能性を低減できる。
【００３４】
ボディ２の挿入部３と延長部４と保持部材５とが合わさった構成は、上から見て円状である。構造体３００に形成される孔３３０の直径は、挿入部３と延長部４と保持部材５とが合わさった構成の直径よりも大きい。孔３３０の直径は、例えば、１５０ｍｍ又は１００ｍｍである。
【００３５】
ボディ２は、蓋部６を更に有している。蓋部６は、延長部４よりも下に位置する。また、蓋部６は、複数の端子部７よりも下に位置する。蓋部６は、取付部８の後述のストッパ８９を介して挿入部３につながっている。蓋部６は、挿入部３の軸方向の第２端（下端）に接している。蓋部６は、円盤状である。蓋部６の厚さ方向は、上下方向に沿っている。蓋部６は、構造体３００の第２の面３０２（図２参照）と向かい合う側（下）から見て挿入部３を基点として第２の面３０２に沿った方向に延びている。より詳細には、蓋部６は、挿入部３の軸方向の第２端（下端）から、軸方向と直交する向きに延びている。上下方向から見て、蓋部６は、挿入部３と同心である。上下方向から見て、蓋部６の直径は挿入部３の直径よりも大きい。蓋部６の周縁部６１は、上向きに立ち上がっている。蓋部６は、周縁部６１に、蓋部６を取付部８に取り付けるための４つの係止突起６１１を有している。蓋部６には、配線Ｗ１、Ｗ２又はＷ３を通すことが可能な挿通孔６２が形成されている。
【００３６】
図４に示すように、複数の端子部７のうち、複数の端子部Ｐ１〜Ｐ１０は、ボディ２の延長部４に設けられている。
【００３７】
延長部４の下面４２には、複数（図４では１０個）の挿入孔４２１が形成されている。複数の挿入孔４２１は、複数の端子部Ｐ１〜Ｐ１０と一対一で対応する。また、複数の挿入孔４２１は、複数（１２個）のカバー１１のうち１０個のカバー１１と一対一で対応する。各挿入孔４２１の内側には、対応するカバー１１が配置されている。筒状の各カバー１１の内側には、複数の端子部Ｐ１〜Ｐ１０のうち対応する端子部が配置されている。各端子部Ｐ１〜Ｐ１０は、対応するカバー１１の開口部１２を通してボディ２の外部へ露出している。複数の端子部Ｐ１〜Ｐ１０は、２列に並んでいる。延長部４の下面４２において、各端子部Ｐ１〜Ｐ１０に隣接する部位には、各端子部Ｐ１〜Ｐ１０のポート番号が１番から１０番まで記されている。
【００３８】
延長部４の下面４２における各カバー１１の開口部１２は、下から見て端子部Ｐ１〜Ｐ１０が露出するように形成されている。つまり、筒状の各カバー１１の軸方向が上下方向に沿っており、開口部１２はカバー１１の下端に形成されている。なお、各カバー１１の開口部１２は、斜め下から見て端子部Ｐ１〜Ｐ１０が露出するように形成されていてもよい。例えば、各カバー１１の軸方向が斜め向きとなるように各カバー１１が配置されることで、斜め下から見て端子部Ｐ１〜Ｐ１０が露出してもよい。下又は斜め下から見て端子部Ｐ１〜Ｐ１０が露出することで、上から見て端子部Ｐ１〜Ｐ１０が露出する場合と比較して、端子部Ｐ１〜Ｐ１０に埃及び水滴が付着する可能性が低減する。
【００３９】
複数の端子部Ｐ１〜Ｐ１０に電気的に接続された複数の配線Ｗ１は、複数の端子部Ｐ１〜Ｐ１０を基点とした場合に保持部材５に設けられた空間５３を下から上へ通るように配置される。
【００４０】
ハブ装置１は、複数（図４では１０個）の表示灯１３を更に備えている。複数の表示灯１３の各々は、例えば、ＬＥＤ（Light Emitting Diode）により構成されている。複数の表示灯１３は、挿入部３の下面３２に設けられている。複数の表示灯１３は、複数の端子部Ｐ１〜Ｐ１０と一対一で対応する。各表示灯１３は、複数の端子部Ｐ１〜Ｐ１０のうち対応する端子部における通信状態に応じて、点灯状態が変化する。より詳細には、各表示灯１３は、複数の端子部Ｐ１〜Ｐ１０のうち対応する端子部が配線Ｗ１を介して機器１００（図１参照）と通信しているときに点灯し、通信していないときに消灯する。
【００４１】
図２に示すように、挿入部３には、端子部７１、７２が設けられている。半円柱状の挿入部３のうち、円柱の断面に相当する面３３には、複数（図２では２つ）の挿入孔３２１が形成されている。複数の挿入孔３２１は、複数の端子部７１、７２と一対一で対応する。また、複数の挿入孔３２１は、複数（１２個）のカバー１１のうち２つのカバー１１と一対一で対応する。各挿入孔３２１の内側には、対応するカバー１１が配置されている。各カバー１１の内側には、複数の端子部７１、７２のうち対応する端子部が配置されている。各端子部７１、７２は、対応するカバー１１の開口部１２を通してボディ２の外部へ露出している。
【００４２】
挿入部３の上記の面３３には、複数の端子部Ｐ１〜Ｐ１０の配置図Ｆ１が記されている。すなわち、延長部４の下面４２における複数の端子部Ｐ１〜Ｐ１０の配置が、配置図Ｆ１に写し取られている。配置図Ｆ１は、例えば、面３３に直接印刷されている。なお、配置図Ｆ１が印刷されたシールが面３３に貼られていてもよい。
【００４３】
ボディ２は、取付部８とは別体である。取付部８は、構造体３００に取り付けられる。ボディ２は、取付部８に取り付けられることで、取付部８を介して構造体３００に取り付けられる。
【００４４】
ハブ装置１は、取付ピン９を更に備えている。取付ピン９は、ボディ２の延長部４に結合されている。ボディ２は、取付ピン９を介して取付部８に取り付けられる。
【００４５】
図２、５に示すように、取付部８は、第１〜第７フレーム材８１〜８７と、２つの羽部８８と、ストッパ８９と、を有している。これらは、例えば、ねじ止めにより互いに結合されている。
【００４６】
第１〜第７フレーム材８１〜８７は、長方形の板状である。第２、第３フレーム材８２、８３は、重なり合っている。第４、第５フレーム材８４、８５は、重なり合っている。第１フレーム材８１の長手方向の第１端には、第２、第３フレーム材８２、８３が結合されている。第１フレーム材８１の長手方向の第２端には、第４、第５フレーム材８４、８５が結合されている。第２〜第５フレーム材８２〜８５は、第１フレーム材８１から第１フレーム材８１の厚さ方向（下向き）に延びている。これにより、第１〜第５フレーム材８１〜８５は、Ｕ字状に組み合わされている。
【００４７】
第６フレーム材８６は、第１フレーム材８１から第１フレーム材８１の短手方向に延びている。第６フレーム材８６の厚さ方向は、第１フレーム材８１の厚さ方向と一致する。取付部８は、連結部材８６１を更に有している。連結部材８６１は、第６フレーム材８６に結合されている。連結部材８６１には、取付ピン９が取り付けられる。取付部８には、第６フレーム材８６と連結部材８６１とを貫く貫通孔である連結孔８６２が形成されている。連結孔８６２には、取付ピン９が挿入される。
【００４８】
ボディ２は、取付部８に着脱可能である。取付部８へのボディ２の着脱は、取付ピン９を介して行われる。連結部材８６１は、取付ピン９が引っ掛けられる爪と、爪を取付ピン９に向かって押すばねと、を有している。取付ピン９が下から上へと連結孔８６２に挿入されると、連結部材８６１の爪は、取付ピン９に押されて移動する。取付ピン９が所定の位置に移動すると、取付ピン９と爪とが接触していない状態となる。そのため、取付ピン９から爪に押圧が掛からなくなり、ばねにより爪が取付ピン９に向かって移動し取付ピン９に引っ掛かる。これにより、取付ピン９が下向きに移動することが抑制される。すなわち、ボディ２が取付ピン９を介して取付部８に取り付けられた状態となる。取付ピン９が更に上に移動すると、取付ピン９と爪との引っ掛かりが解除され、取付ピン９は連結部材８６１から取り外し可能となる。これにより、ボディ２を取付部８から取り外せる。なお、取付ピン９に爪が収容されていて、取付ピン９から突出する爪が連結部材８６１に引っ掛かるように構成されていてもよい。例えば、取付ピン９の軸方向から取付ピン９が押されることで、爪が取付ピン９から突出し、取付ピン９がもう１度押されることで、爪が取付ピン９に収容されるように構成されていてもよい。以上のような取付ピン９及び連結部材８６１の構造は、ダウンライト等の照明器具の天井材への取付構造としても用いてもよい。
【００４９】
第７フレーム材８７は、第６フレーム材８６における第１フレーム材８１側とは反対側の端に結合されている。第７フレーム材８７は、第６フレーム材８６の厚さ方向に延びている。第６フレーム材８６から第７フレーム材８７が延びている向きは、第１フレーム材８１から第２〜第５フレーム材８２〜８５が延びている向きと同じ向き（下向き）である。第７フレーム材８７には、第７フレーム材８７とボディ２の挿入部３とを結合するためのねじが通される２つのねじ挿入孔８７１が形成されている。
【００５０】
第２フレーム材８２、第４フレーム材８４及び第７フレーム材８７の各々の先端（下端）は、ストッパ８９に結合されている。ストッパ８９は、円環状である。第２フレーム材８２、第４フレーム材８４及び第７フレーム材８７の各々とストッパ８９との結合点は、ストッパ８９の周方向において９０度の間隔でこの順に並んでいる。
【００５１】
ボディ２の挿入部３が構造体３００における孔３３０に挿入され、ボディ２が上に行き過ぎようとした場合に、ストッパ８９が構造体３００の第２の面３０２に接することで、ボディ２が上に行き過ぎることが抑制される。
【００５２】
ストッパ８９は、蓋部６を取付可能である。ストッパ８９には、４つ（図５では３つ）の溝８９１が形成されている。４つの溝８９１は、ストッパ８９の周方向において９０度の間隔で並んでいる。４つの溝８９１は、蓋部６の４つの係止突起６１１と一対一で対応している。４つの溝８９１の各々には、対応する係止突起６１１が引っ掛けられる。これにより、蓋部６は、ストッパ８９に取り付けられる。
【００５３】
取付部８は、２つの羽部８８と一対一で対応する２つの支柱８８１（図２参照）を更に有している。第３フレーム材８３における第１フレーム材８１側と反対側の端（下端）は、屈曲しており、この屈曲した部分と、ストッパ８９との間を架け渡すように、２つの支柱８８１のうち一方が設けられている。同様に、第５フレーム材８５における第１フレーム材８１側と反対側の端（下端）は、屈曲しており、この屈曲した部分と、ストッパ８９との間を架け渡すように、２つの支柱８８１のうち他方が設けられている。
【００５４】
２つの羽部８８の各々は、棒状である。２つの羽部８８の各々は、対応する支柱８８１が挿入された貫通孔を有している。２つの羽部８８の各々は、対応する支柱８８１を軸として回転可能である。
【００５５】
各支柱８８１の外面には、ねじ山及びねじ溝が形成されている。各羽部８８における支柱８８１が通される貫通孔の内面には、支柱８８１のねじ山及びねじ溝と噛み合うねじ山及びねじ溝が形成されている。羽部８８における貫通孔に支柱８８１が通された状態で、支柱８８１を回転させることで、羽部８８が支柱８８１の軸方向に移動する。これにより、２つの羽部８８とストッパ８９との間の距離を調整可能である。
【００５６】
（構造体へのハブ装置の取付け）
次に、構造体３００へのハブ装置１の取付け手順の一例を説明する。
【００５７】
図２に示すように、取付部８は、構造体３００に形成された孔３３０に挿入される。取付部８が孔３３０に挿入されるときは、２つの羽部８８の回転角は、第１の回転角にされる。第１の回転角は、羽部８８の長手方向が第１フレーム材８１の短手方向（図２の紙面奥行き方向）に沿うときの回転角である。取付部８が孔３３０に挿入された後、２つの羽部８８の回転角は、第２の回転角にされる。第２の回転角は、羽部８８の長手方向が第１フレーム材８１の長手方向（図２の紙面左右方向）に沿うときの回転角である。２つの羽部８８は、第１の回転角と第２の回転角との間で９０度回転する。取付部８は、２つの羽部８８の回転角が第１の回転角のときは、第２の回転角のときと比較して、孔３３０の径方向における２つの羽部８８の長さが短くなるので、孔３３０に挿入されやすい。２つの羽部８８の回転角が第２の回転角となることで、２つの羽部８８が孔３３０の外まで延びて、構造体３００の第１の面３０１に接する。すなわち、取付部８は、２つの羽部８８が構造体３００の第１の面３０１に接するように構造体３００に載せ置かれる。
【００５８】
次に、支柱８８１を回転させ、羽部８８を支柱８８１の軸方向に移動させることで、２つの羽部８８とストッパ８９との間に構造体３００を挟む。
【００５９】
ボディ２に設けられた複数の端子部７には、複数の配線Ｗ１と、配線Ｗ２、Ｗ３とが電気的に接続される。さらに、複数の配線Ｗ１及び配線Ｗ２、Ｗ３は、保持部材５に保持される。複数の端子部７に複数の配線Ｗ１と配線Ｗ２、Ｗ３とが電気的に接続され、複数の配線Ｗ１及び配線Ｗ２、Ｗ３が保持部材５に保持され、取付部８が構造体３００の第１の面３０１に載せ置かれた後、ボディ２は、取付部８に取り付けられる。
【００６０】
より詳細には、まず、ボディ２の延長部４、保持部材５及び挿入部３が、構造体３００に形成された孔３３０に挿入される。次に、ボディ２に設けられた取付ピン９が連結部材８６１に取り付けられる。その後、ストッパ８９（図５参照）の４つの溝８９１（図５参照）に蓋部６の４つの係止突起６１１（図５参照）が引っ掛けられることで、蓋部６がストッパ８９に取り付けられる。
【００６１】
さらに、第７フレーム材８７（図５参照）に形成された２つのねじ挿入孔８７１（図５参照）にそれぞれねじを通して、第７フレーム材８７と挿入部３とをねじ止めにより結合してもよい。
【００６２】
以上により、ハブ装置１が構造体３００に取り付けられる。また、ハブ装置１を構造体３００に取り付ける際とは反対の作業により、ハブ装置１を構造体３００から取り外すことができる。
【００６３】
なお、ハブ装置１を構造体３００に取り付けてから、蓋部６をストッパ８９から取り外すと、複数の端子部７がボディ２の下の空間に露出する。したがって、ボディ２が取付部８を介して構造体３００に取り付けられた状態であっても、複数の配線Ｗ１と配線Ｗ２、Ｗ３とを各端子部７に着脱できる。また、ハブ装置１を構造体３００に取り付けてから、蓋部６をストッパ８９から取り外すと、複数の表示灯１３も、ボディ２の下の空間に露出する。したがって、各表示灯１３の点灯状態を見ることで、各端子部Ｐ１〜Ｐ１０における通信状態を確認できる。ハブ装置１は、蓋部６をストッパ８９から取り外した状態で構造体３００に取り付けられて使用されてもよい。
【００６４】
また、ハブ装置１において、延長部４と保持部材５との下方には、空間ＳＰ１が存在する。挿入部３に設けられた複数の端子部７は、空間ＳＰ１に露出している。したがって、作業者は、空間ＳＰ１に手等を挿入して、複数の端子部７に複数の配線Ｗ１及び配線Ｗ２、Ｗ３を電気的に接続する作業を行える。
【００６５】
ハブ装置１を構造体３００における孔３３０に挿入した場合、空間ＳＰ１は孔３３０の内縁と挿入部３とに囲まれた空間となる。空間ＳＰ１は、例えば長径が１２０ｍｍ以上６５０ｍｍ以下、短径が８０ｍｍ以上６２０ｍｍ以下の楕円の円筒が入る大きさであることが好ましい。この場合、空間ＳＰ１に手を挿入して配線Ｗ１、Ｗ２、Ｗ３の抜き差しの作業をしやすくなる。空間ＳＰ１は、長径が１２０ｍｍ以上２００ｍｍ以下、短径が８０ｍｍ以上１７０ｍｍ以下の楕円の円筒が入る大きさであることがより好ましく、長径が１２０ｍｍ以上１５０ｍｍ以下、短径が８０ｍｍ以上１２０ｍｍ以下の楕円の円筒が入る大きさであることが更に好ましい。
【００６６】
（実施形態１の変形例）
以下に、実施形態１の変形例を列挙する。以下の変形例は、適宜組み合わせて実現されてもよい。
【００６７】
取付部８へのボディ２の取付けは、取付ピン９を用いた取付けに限定されない。例えば、ボディ２は、取付部８にねじ止めされることで取付部８に取り付けられてもよい。また、ボディ２と取付部８とにそれぞれ設けられたねじ山及びねじ溝が噛み合わされた状態でボディ２が回転させられることで、ボディ２が取付部８に取り付けられてもよい。
【００６８】
取付部８において、羽部８８の個数は、２つに限定されず、１つ又は３つ以上であってもよい。
【００６９】
端子部７を覆うカバー１１は、ボディ２と一体に形成されていてもよい。
【００７０】
取付部８は、構造体３００に直接取り付けられなくてもよい。取付部８は、構造体３００に固定された吊りボルト等の部材に取り付けられることで、間接的に構造体３００に取り付けられてもよい。
【００７１】
保持部材５の形状は、実施形態１に示した形状に限定されない。例えば、保持部材５は、貫通孔が形成された部材であって、貫通孔に複数の配線Ｗ１、Ｗ２、Ｗ３が通せるように構成されていてもよい。あるいは、保持部材５は、切欠きが形成された部材であって、切欠きの内側に複数の配線Ｗ１、Ｗ２、Ｗ３が通せるように構成されていてもよい。
【００７２】
ストッパ８９は、複数種類の蓋部６を択一的に取付け可能であってもよい。複数種類の蓋部６は、例えば、色が互いに異なり、その他の点では互いに同じ構成を有する。施工者等は、複数種類の蓋部６の中から、天井材等の構造体３００の色と同じ色又は調和する色を有する蓋部６を選択して、ストッパ８９に取り付けることができる。これにより、ハブ装置１の見栄えを良くすることができる。
【００７３】
端子部７と配線Ｗ１、Ｗ２、Ｗ３とは、例えば、ＵＳＢ規格、ＨＤＭＩ（登録商標）規格、ＨＤＢａｓｅＴ（登録商標）規格、又は、ＲＪ４５規格に準拠した形状を有していてもよい。
【００７４】
ハブ装置１は、落下防止ワイヤを備えていてもよい。落下防止ワイヤの第１端は、天井材等の構造体３００に取り付けられ、第２端は、ハブ装置１のボディ２及び取付部８のうち少なくとも一方に取り付けられる。ボディ２及び取付部８が構造体３００から外れた場合に、ボディ２及び取付部８が落下する可能性を、落下防止ワイヤにより低減できる。
【００７５】
表示灯１３の機能は、ハブ装置１の通信状態を表示する機能に限定されない。表示灯１３は、例えば、ハブ装置１の異常の有無を表示してもよい。また、ハブ装置１は、ハブ装置１の異常の有無を音により報知する報知部を備えていてもよい。報知部は、例えば、ブザーを含む。また、表示灯１３及び報知部のうち少なくとも一方は、ハブ装置１のメンテナンス時に、作業者の点検操作に応じて異常の有無を光又は音により報知してもよい。
【００７６】
ハブ装置１は、交流電力を受電する交流電源端子を備えていてもよい。さらに、ハブ装置１の交流電源端子は、送り配線端子であってもよい。商用電源ＰＳ１等から配線を介して送り配線端子に供給される交流電力は、ハブ装置１に供給される。さらに、ハブ装置１に供給された交流電力は、送り配線端子に送り配線された配線を介して、機器１００に供給される。
【００７７】
また、ハブ装置１は、交流電源端子を有したコンセントを備えていてもよい。コンセントは、例えば、ハブ装置１のボディ２に内蔵される。
【００７８】
ハブ装置１は、交流電源端子を介した電力の受電と、配線Ｗ１を介した電力の受電とのうち、一方の機能を有していてもよいが、両方の機能を有することで、一方が不具合等により電力の伝送ができなくなった場合に、他方により電力の伝送ができる。つまり、ハブ装置１における電力伝送の機能を冗長化できる。
【００７９】
ハブ装置１は、給電量及び受電量に関する情報を、外部に通知してもよい。例えば、ハブ装置１の動作を制御するコントローラに、給電量及び受電量に関する情報を通知してもよい。コントローラは、複数の機器１００のうちの１つである。コントローラは、他の複数の機器１００の動作を制御する。また、ハブ装置１は、コントローラ以外の機器１００に、給電量及び受電量に関する情報を通知してもよい。また、ハブ装置１は、コントローラ又はコントローラ以外の機器１００から、給電量及び受電量に関する情報の通知を受け取ってもよい。
【００８０】
給電量及び受電量に関する情報の一例は、ハブ装置１及び複数の機器１００の各々の使用電力量の情報である。また、コントローラは、ハブ装置１及び複数の機器１００の各々の使用電力量の情報に基づいて、給電を制御してもよい。例えば、コントローラは、複数の機器１００のうち給電の優先度が高い機器１００に優先的に電力を供給してもよい。優先度の情報が予めコントローラに記憶されていてもよいし、コントローラにおける処理により優先度が判断されてもよい。なお、コントローラは、ハブ装置１に備えられていてもよい。
【００８１】
ここで、給電を行うハブ装置１（以下、「給電ハブ」と称す）と、給電を行うハブ装置１から受電するハブ装置１（以下、「受電ハブ」と称す）とが電気的に接続されている場合の優先度の設定について説明する。なお、給電ハブ及び受電ハブの各々には、１又は複数の機器１００が接続されてもよい。そして、受電ハブは、受電ハブに電気的に接続された１又は複数の機器１００に給電してもよい。「給電ハブ」及び「受電ハブ」という呼称は、ある時点においての、これら２つのハブ装置１の間の給電と受電との関係を表す呼称である。場合によっては、給電ハブが受電ハブ及び機器１００等から受電を行うことも可能であり、受電ハブが給電ハブ及び機器１００等に対して給電を行うことも可能である。
【００８２】
給電ハブと受電ハブとの間でパケット通信等の通信を行うことで、給電ハブは、受電ハブが電気的に接続されているという情報を得ることができる。そして、給電ハブは、受電ハブに対して、他の機器１００よりも優先的に給電してもよい。例えば、給電ハブに、受電ハブと１又は複数の機器１００が電気的に接続されている場合に、受電ハブに対する給電の優先度は、１又は複数の機器１００に対する給電の優先度よりも高く設定されてもよい。
【００８３】
実施形態１のハブ装置１は、ＭＡＣアドレスと端子部７（ポート）との対応関係を記憶する機能を有するＬ２スイッチであるが、ハブ装置１は、Ｌ２スイッチに限定されない。ハブ装置１は、Ｌ３スイッチであってもよい。Ｌ３スイッチとしてのハブ装置１は、Ｌ２スイッチとしての機能に加えて、ＩＰアドレスと端子部７（ポート）との対応関係を記憶し、ＩＰアドレスを用いたルーティングを行う機能を有する。
【００８４】
（実施形態１及び実施形態１の変形例のまとめ）
以上説明した実施形態１及び実施形態１の変形例から、以下の態様が開示されている。
【００８５】
ハブ装置１は、ボディ２と、複数の端子部７と、取付部８と、を備える。複数の端子部７は、ボディ２に設けられる。複数の端子部７は、複数の配線Ｗ１、Ｗ２、Ｗ３を電気的に接続可能である。複数の配線Ｗ１、Ｗ２、Ｗ３は、通信用の複数の配線Ｗ１、Ｗ２を少なくとも含む。取付部８は、建物の一部を構成する構造体３００にボディ２を取り付けるための部位である。
【００８６】
上記の構成によれば、ハブ装置１を構造体３００に取り付けられる。したがって、ハブ装置１が机の上等に置かれる場合と比較して、ハブ装置１が邪魔になる可能性を低減できる。
【００８７】
また、ハブ装置１において、構造体３００は、第１の面３０１と、第１の面３０１とは反対側の第２の面３０２と、を含む。第１の面３０１は、建物の隠蔽部４００に露出する。ボディ２は、挿入部３を有する。挿入部３は、構造体３００の第１の面３０１から第２の面３０２までを貫く孔３３０に挿入される。
【００８８】
上記の構成によれば、挿入部３が孔３３０に挿入されることで、挿入部３の少なくとも一部は、孔３３０の内側又は隠蔽部４００に配置されて、隠蔽部４００の外からは見え難くなる。したがって、ハブ装置１が目立ちにくくなる。
【００８９】
また、ハブ装置１は、ストッパ８９を更に備える。ストッパ８９は、挿入部３につながっている。ストッパ８９は、第２の面３０２と向かい合う側から見て挿入部３を基点として第２の面３０２に沿った方向に延びている。
【００９０】
上記の構成によれば、構造体３００に形成される孔３３０に挿入部３を挿入する作業において、ストッパ８９が孔３３０の周縁に接する場合は、ストッパ８９が構造体３００に接する位置よりも奥へ挿入部３を移動させてしまうことを抑制できる。
【００９１】
また、ハブ装置１において、ボディ２は、延長部４を更に有する。延長部４は、挿入部３につながっている。延長部４は、第１の面３０１と向かい合う側から見て挿入部３を基点として第１の面３０１に沿った方向に延びている。複数の端子部７のうち少なくとも１つは、延長部４に設けられる。
【００９２】
上記の構成によれば、延長部４が無い場合よりも複数の端子部７が設けられるスペースを確保しやすくなる。また、延長部４が第２の面３０２から第１の面３０１に向かう方向にのみ延びている場合と比較して、当該方向において隠蔽部４００のスペースを圧迫することを抑制できる。
【００９３】
また、ハブ装置１は、少なくとも１つのカバー１１を更に備える。カバー１１は、複数の端子部７のうち少なくとも１つの端子部７と一対一で対応する。カバー１１は、開口部１２を含む。カバー１１は、開口部１２の周縁により少なくとも１つの端子部７を覆う。開口部１２は、下又は斜め下から見て少なくとも１つの端子部７が露出するように形成されている。
【００９４】
上記の構成によれば、上から見て端子部７が露出している場合と比較して、端子部７に埃及び水滴が付着する可能性が低減する。
【００９５】
また、ハブ装置１において、複数の端子部７は、ボディ２の下の空間に露出している。
【００９６】
上記の構成によれば、ボディ２を構造体３００としての天井材等に取り付けた場合に、ボディ２が構造体３００に取り付けられたままの状態であっても、追加の配線を端子部７に接続しやすい。
【００９７】
また、ハブ装置１において、複数の端子部７は、複数の配線Ｗ１、Ｗ２、Ｗ３を抜き差し可能に構成されている。
【００９８】
上記の構成によれば、端子部７に接続された配線Ｗ１、Ｗ２、Ｗ３の取替え及びハブ装置１における配線Ｗ１、Ｗ２、Ｗ３の接続箇所の変更が容易である。
【００９９】
また、ハブ装置１は、保持部材５を更に備える。保持部材５は、複数の端子部７とは別に設けられる。保持部材５は、複数の端子部７に電気的に接続された複数の配線Ｗ１、Ｗ２、Ｗ３のうち少なくとも１つの配線を保持する。
【０１００】
上記の構成によれば、ハブ装置１とは別の部材を用いることなく、配線Ｗ１、Ｗ２、Ｗ３を保持できる。
【０１０１】
また、ハブ装置１において、ボディ２は、構造体３００に取り付けられる取付部８とは別体であり、取付部８に取付け可能である。
【０１０２】
上記の構成によれば、取付部８とボディ２とを個別に設計できる。
【０１０３】
また、ハブ装置１において、ボディ２は、取付部８に着脱可能である。
【０１０４】
上記の構成によれば、取付部８及びボディ２のうち一方を新しい取付部８又はボディ２に交換する場合に、他方を引き続き使用できる。
【０１０５】
また、ハブ装置１において、複数の端子部７は、電力及び信号の両方の入力用の端子部と、電力及び信号の両方の出力用の端子部とのうち、少なくとも一方を含む。
【０１０６】
上記の構成によれば、１つの端子部７において電力と信号との両方を入力又は出力できるので、端子部７の数を減らせる。
【０１０７】
また、ハブ装置１において、複数の端子部７は、電力の入力用の端子部７２を含む。電力の入力用の端子部７２は、電源（商用電源ＰＳ１）から出力され電力変換器１２０で変換された電力の入力を受け付ける。
【０１０８】
上記の構成によれば、電力を外部の電源から得られる。
【０１０９】
（実施形態２）
以下、実施形態２に係るハブ装置１Ａについて、図７、８を用いて説明する。実施形態１と同様の構成については、同一の符号を付して説明を省略する。
【０１１０】
本実施形態のハブ装置１Ａは、ボディ２Ａと、取付部８Ａと、を備えている。取付部８Ａは、ボディ２Ａに組み込まれている。取付部８Ａは、２つの羽部８８と、２つの羽部８８と一対一で対応する２つ（図７では１つ）の支柱８８１と、を有している。
【０１１１】
各羽部８８は、対応する支柱８８１を軸として回転可能である。２つの羽部８８の回転角が第１の回転角のときは、２つの羽部８８は、ボディ２Ａの挿入部３Ａに設けられた窪み３４に収容される。この状態で、挿入部３Ａは、構造体３００（図２参照）に形成された孔３３０（図２参照）に挿入される。２つの羽部８８の回転角が第２の回転角のときは、２つの羽部８８は、挿入部３Ａから突出する。この状態で、ハブ装置１Ａは、２つの羽部８８が構造体３００の第１の面３０１（図２参照）に接するように構造体３００に載せ置かれる。
【０１１２】
ボディ２Ａは、挿入部３Ａと、蓋部６と、を有している。挿入部３Ａは、挿入本体３５と、２つの側壁３６と、を備えている。挿入本体３５は、円柱を円柱の軸方向に対して斜めに切断してなる立体の形状を有している。そのため、挿入本体３５は、軸方向に対して斜めである面３５１を含む。面３５１は、長方形状である。
【０１１３】
複数の端子部７（端子部Ｐ１〜Ｐ１０、７１、７２）は、面３５１に設けられている。ハブ装置１Ａが構造体３００に取り付けられた状態において、挿入本体３５の軸方向は、上下方向に沿う。ハブ装置１Ａが構造体３００に取り付けられた状態において、挿入本体３５の面３５１は、鉛直方向（上下方向）に対して斜めとなる。カバー１１のうち開口部１２が形成された面１１１は、挿入本体３５の面３５１に沿って形成されている。言い換えると、面１１１は、面３５１と略平行である。そのため、ハブ装置１Ａが構造体３００に取り付けられた状態において、カバー１１のうち開口部１２が形成された面１１１は、鉛直方向に対して斜めとなる。
【０１１４】
挿入本体３５は、軸方向における第１端に上面３５２を有し、第２端に下面を有している。挿入本体３５の下面は、蓋部６と対向する。挿入本体３５の上面３５２は、挿入本体３５の下面よりも大きい。挿入本体３５は、上から下に行くにつれて、上下方向と直交する断面における面積が小さくなる。挿入本体３５の面３５１の法線の向きは、斜め下向きである。カバー１１のうち開口部１２が形成された面１１１の法線の向きは、鉛直方向に対して斜め下向きである。面３５１の法線に沿った方向から見て、複数の端子部７は、カバー１１の開口部１２を通して露出する。つまり、各カバー１１の開口部１２は、斜め下から見て端子部７が露出するように形成されている。挿入本体３５の面３５１に設けられた複数の端子部７は、ボディ２Ａの下の空間に露出している。
【０１１５】
ハブ装置１Ａの保持部材５Ａは、挿入部３Ａにねじ止めにより結合されている。挿入部３Ａの２つの側壁３６は、挿入本体３５の面３５１のうち、鉛直方向に対して斜めとなる２辺から突出している。複数の端子部７に電気的に接続された複数の配線Ｗ１、Ｗ２、Ｗ３は、挿入本体３５と２つの側壁３６とに囲まれた空間３７を通り、保持部材５Ａの基端部５１Ａと２つの腕部５２Ａとに囲まれた空間５３Ａに通される。
【０１１６】
ストッパ８９は、取付部８Ａの外部の構成としてハブ装置１に備えられる。ストッパ８９は、ねじ止めにより挿入本体３５の下面に結合されている。蓋部６は、ストッパ８９に取り付けられる。蓋部６は、ストッパ８９を介して挿入部３Ａに取り付けられる。
【０１１７】
図示は省略するが、挿入本体３５の下面には、複数の表示灯１３（図４参照）が設けられている。
【０１１８】
なお、カバー１１のうち開口部１２が形成された面１１１の法線の向きは、鉛直方向に対して斜め上向きであってもよい。
【０１１９】
（実施形態２のまとめ）
以上説明した実施形態２から、以下の態様が開示されている。
【０１２０】
ハブ装置１Ａは、少なくとも１つのカバー１１を更に備える。カバー１１は、複数の端子部７のうち少なくとも１つの端子部７と一対一で対応する。カバー１１は、開口部１２を含む。カバー１１は、開口部１２の周縁により少なくとも１つの端子部７を覆う。少なくとも１つの端子部７は、開口部１２を通して複数の配線Ｗ１、Ｗ２、Ｗ３のうち少なくとも１つの配線を差込み接続可能に構成される。開口部１２は、少なくとも１つのカバー１１のうち鉛直方向に対して斜めとなる面１１１に形成されており少なくとも１つの端子部７を露出させる。
【０１２１】
上記の構成によれば、鉛直方向に対して斜めとなる面１１１の法線方向が斜め上向きで、端子部７が端子部７の斜め上の空間へ露出している場合は、端子部７が端子部７の真上の空間へのみ露出している場合よりも、配線Ｗ１、Ｗ２、Ｗ３を端子部７に電気的に接続しやすい。鉛直方向に対して斜めとなる面１１１の法線方向が斜め下向きで、端子部７が端子部７の斜め下の空間へ露出している場合は、端子部７が端子部７の真下の空間へのみ露出している場合よりも、配線Ｗ１、Ｗ２、Ｗ３が端子部７から外れにくい。
【０１２２】
（実施形態３）
以下、実施形態３に係るハブ装置１Ｂについて、図９を用いて説明する。実施形態２と同様の構成については、同一の符号を付して説明を省略する。
【０１２３】
ハブ装置１Ｂのボディ２Ｂは、挿入部３Ｂと、延長部４Ｂと、を有している。挿入部３Ｂは、挿入本体３５Ｂと、２つの側壁３６Ｂと、を備えている。ハブ装置１Ｂは、複数の端子部７として、端子部Ｐ１〜Ｐ６と、端子部７１、７２とを備えている。
【０１２４】
挿入本体３５Ｂは、半円柱状である。挿入本体３５Ｂにおいて、円柱の断面に相当する面３５３には、複数の端子部７が設けられている。面３５３は、上下方向に沿っている。各端子部７を覆うカバー１１は、上下方向と直交する一方向に開口しており、端子部７は、該一方向から見て露出している。端子部７には、該一方向から複数の配線Ｗ１、Ｗ２、Ｗ３を抜き差し可能である。これにより、端子部７が例えば上からのみ複数の配線Ｗ１、Ｗ２、Ｗ３を抜き差し可能に構成されている場合と比較して、端子部７に水滴及び埃等が付着する可能性を低減できる。
【０１２５】
挿入部３Ｂの２つの側壁３６Ｂは、挿入本体３５Ｂの面３５３のうち、挿入本体３５Ｂの軸方向に沿った２辺から突出している。２つの側壁３６Ｂにおいて、互いに向かい合う面３６１は、円柱側面状に湾曲している。延長部４Ｂは、挿入本体３５Ｂの軸方向の第１端（上端）から、軸方向と直交する向きに延びている。
【０１２６】
ストッパ８９Ｂは、挿入部３Ｂと一体である。蓋部６Ｂは、ストッパ８９Ｂに取り付けられる。
【０１２７】
ストッパ８９Ｂが床等に接するようにしてハブ装置１Ｂを床等に置いた状態で、複数の端子部７が設けられた面３５３は、鉛直方向に沿う。また、複数の端子部７は、この面３５３に集約されている。したがって、ハブ装置１Ｂを床等に置いた状態において、複数の配線Ｗ１、Ｗ２、Ｗ３を複数の端子部７に対して抜き差しすることが容易である。
【０１２８】
（実施形態４）
以下、実施形態４に係るハブ装置１Ｃについて、図１０Ａ〜１０Ｃを用いて説明する。実施形態１と同様の構成については、同一の符号を付して説明を省略する。また、ハブ装置１Ｃのボディ２Ｃを構造体３００に取り付けるための取付部の構造としては、例えば、実施形態１〜３のいずれかに示した構造を採用すればよいので、取付部についての説明は省略する。
【０１２９】
ハブ装置１Ｃのボディ２Ｃは、挿入部３Ｃと、延長部４Ｃと、を有している。挿入部３Ｃは、直方体状である。下から見て、挿入部３Ｃの４つの角部３８は、Ｒ状となっている。延長部４Ｃは、直方体状である。延長部４Ｃは、挿入部３Ｃにつながっている。
【０１３０】
挿入部３Ｃは、構造体３００に形成された孔３３０の内側に配置される。このとき、延長部４Ｃは、構造体３００の第１の面３０１と向かい合う側（上）から見て挿入部３Ｃを基点として第１の面３０１に沿った方向に延びている。より詳細には、延長部４Ｃは、挿入部３Ｃの上端から、上下方向と直交する向きに延びている。延長部４Ｃは、建物の隠蔽部４００に配置される。延長部４Ｃは、上下方向において構造体３００の第１の面３０１と対向する。
【０１３１】
挿入部３Ｃの上端のうち、延長部４Ｃとつながっている側とは反対側の角部３９は、Ｒ状となっている。
【０１３２】
挿入部３Ｃは、内部に空洞Ｈ１を有している。この空洞には、ハブ装置１Ｃをスイッチングハブ装置として機能させるための回路を実装した基板等が収容されている。
【０１３３】
延長部４Ｃにおいて、挿入部３Ｃ側とは反対側の先端面４１には、複数（図１０Ｃでは２つ）の端子部Ｐ１、Ｐ２が設けられている。挿入部３Ｃの下面３２Ｃには、複数（図１０Ｂでは４つ）の端子部Ｐ３〜Ｐ６と、端子部７１と、が設けられている。
【０１３４】
複数の端子部Ｐ３〜Ｐ６はそれぞれ、複数の端子部Ｐ１、Ｐ２とは別の機能を有する。具体的には、複数の端子部Ｐ１、Ｐ２はそれぞれ、電力の入力と信号の入出力とのための端子部（第１の端子部）である。複数の端子部Ｐ３〜Ｐ６はそれぞれ、電力の出力と信号の入出力とのための端子部（第２の端子部）である。また、端子部７１は、信号の入出力用の端子部である。
【０１３５】
複数の端子部Ｐ１、Ｐ２が設けられた挿入部３Ｃの下面３２Ｃと、複数の端子部Ｐ３〜Ｐ６が設けられた延長部４Ｃの先端面４１とでは、法線方向が互いに異なる。その結果、複数の端子部Ｐ１、Ｐ２（第１の端子部）の各々において複数の配線Ｗ１のうち１つの配線が差し込まれる向きは、複数の端子部Ｐ３〜Ｐ６（第２の端子部）の各々において複数の配線Ｗ１のうち１つの配線が差し込まれる向きとは異なる。より詳細には、配線Ｗ１は、複数の端子部Ｐ１、Ｐ２には下から上向きに差し込まれ、複数の端子部Ｐ３〜Ｐ６には上下方向と直交する向きに差し込まれる。
【０１３６】
構造体３００にボディ２Ｃを取り付ける際には、まず、延長部４Ｃを孔３３０に挿入し、次に、挿入部３Ｃの下面３２Ｃ及び延長部４Ｃの先端面４１に直交する平面内でボディ２Ｃを回転させながら、挿入部３Ｃを孔３３０に挿入する。これにより、図１０Ａに示すように、延長部４Ｃが隠蔽部４００に配置され、挿入部３Ｃが孔３３０の内側に配置される。
【０１３７】
本実施形態によれば、端子部Ｐ１、Ｐ２を設けるための延長部４Ｃが挿入部３Ｃを基点として第１の面３０１に沿った方向に延びている。そのため、延長部４Ｃが第１の面３０１の法線方向（上向き）に延びている場合と比較して、ボディ２Ｃのうち第１の面３０１よりも上に位置する部分の上下方向の寸法を抑えられる。したがって、隠蔽部４００（天井裏）の上下方向の高さが比較的低くてもハブ装置１Ｃを構造体３００に取り付けられる。
【０１３８】
本実施形態においても、ボディ２Ｃは蓋部６（図２参照）を有していてもよい。
【０１３９】
（実施形態４のまとめ）
以上説明した実施形態４から、以下の態様が開示されている。
【０１４０】
ハブ装置１は、少なくとも１つのカバー１１を更に備える。カバー１１は、複数の端子部７のうち少なくとも１つの端子部７と一対一で対応する。カバー１１は、開口部１２を含む。カバー１１は、開口部１２の周縁により少なくとも１つの端子部７を覆う。少なくとも１つの端子部７は、開口部１２を通して複数の配線Ｗ１、Ｗ２、Ｗ３のうち少なくとも１つの配線を差込み接続可能に構成される。複数の端子部７は、第１の端子部（端子部Ｐ１、Ｐ２）と、第１の端子部とは別の機能を有する第２の端子部（端子部Ｐ３〜Ｐ６）と、を含む。第１の端子部において複数の配線Ｗ１、Ｗ２、Ｗ３のうち１つの配線が差し込まれる向きは、第２の端子部において複数の配線Ｗ１、Ｗ２、Ｗ３のうち１つの配線が差し込まれる向きとは異なる。
【０１４１】
上記の構成によれば、第１の端子部と第２の端子部とを区別しやすい。
【０１４２】
また、ハブ装置１において、第１の端子部（端子部Ｐ１、Ｐ２）は、電力及び信号の少なくとも一方の入力用の端子部である。第２の端子部（端子部Ｐ３〜Ｐ６）は、電力及び信号の少なくとも一方の出力用の端子部である。
【０１４３】
上記の構成によれば、入力用の端子部と出力用の端子部とを区別しやすい。
【０１４４】
（実施形態５）
以下、実施形態５に係るハブ装置１Ｄについて、図１１〜図１５を用いて説明する。実施形態１と同様の構成については、同一の符号を付して説明を省略する。
【０１４５】
図１１〜図１３に示すように、ハブ装置１Ｄは、ボディ２Ｄと、複数（６つ）の端子部７と、取付部８Ｄと、蓋部６Ｄと、を備えている。ボディ２Ｄは、挿入部３Ｄと、延長部４Ｄと、保持部材５Ｄと、を有している。複数の端子部７には、複数の配線Ｗ１、Ｗ２、Ｗ３が電気的に接続される。なお、図１３では２つの配線Ｗ１の各々の一部のみを図示し、図１１、図１２、図１４、図１５では複数の配線Ｗ１、Ｗ２、Ｗ３の図示を省略した。
【０１４６】
実施形態１と同様に、ボディ２Ｄと取付部８Ｄとは別体である。取付部８Ｄが構造体３００に取り付けられた後、ボディ２Ｄが取付部８Ｄに取り付けられる。すなわち、ボディ２Ｄは、取付部８Ｄを介して構造体３００に取り付けられる。
【０１４７】
挿入部３Ｄは、半円柱状である。ボディ２Ｄが取付部８Ｄを介して構造体３００に取り付けられた状態において、延長部４Ｄは、挿入部３Ｄの上下方向の中心よりも上部につながっている。延長部４Ｄは、第１の面３０１と向かい合う側から見て挿入部３Ｄを基点として第１の面３０１に沿った方向に延びている。より詳細には、延長部４Ｄは、挿入部３Ｄの上端付近から、上下方向と直交する方向に沿って突出している。延長部４Ｄは、半円柱の一部を切り欠いた形状を有している。上から見て、ボディ２Ｄのうち挿入部３Ｄ及び延長部４Ｄからなる構造の形状は、切欠きを有する円状である。ボディ２Ｄをこのような形状にすることで、実施形態１のボディ２と比較して、上から見たボディ２Ｄの大きさを大きくすることができる。そのため、ボディ２Ｄの内部の空間ＳＰ２における基板等の配置スペースを確保しやすくできる。延長部４Ｄの切り欠き部分に相当する空間には、保持部材５Ｄが配置されている。
【０１４８】
保持部材５Ｄは、実施形態１の腕部５２に相当する構成である腕部５２Ｄを有している。本実施形態５の保持部材５Ｄは、腕部５２Ｄのみからなる。上下方向から見て、腕部５２Ｄの形状は、円弧状である。腕部５２Ｄは、挿入部３Ｄから突出している。腕部５２Ｄの先端と延長部４Ｄとの間には、隙間５４が設けられている。
【０１４９】
腕部５２Ｄと挿入部３Ｄと延長部４Ｄとに囲まれた空間５３には、複数の配線Ｗ１、Ｗ２、Ｗ３が通される。複数の配線Ｗ１、配線Ｗ２、Ｗ３は、例えば、空間５３の外側から隙間５４を経由して空間５３に配置される。複数の配線Ｗ１、配線Ｗ２、Ｗ３は、空間５３において上下方向に沿って配置される。これにより、複数の配線Ｗ１、Ｗ２、Ｗ３は、上下方向と直交する方向への移動が規制される。
【０１５０】
挿入部３Ｄは、挿入本体３５と、収容部３７Ｄと、複数（３つ、ただし図１３では２つのみを図示）の突出部３７４と、を有している。挿入本体３５は、半円筒状である。収容部３７Ｄは、上面が開口した半円柱状である。上下方向から見て、収容部３７Ｄの外形形状は、挿入本体３５の外形形状に沿っている。収容部３７Ｄは、挿入本体３５に取り付けられている。また、挿入本体３５から収容部３７Ｄを取り外すことができる。収容部３７Ｄは、挿入本体３５を下から覆っている。
【０１５１】
複数の突出部３７４は、収容部３７Ｄから突出している。複数の突出部３７４の突出方向は、上下方向と直交する方向に沿っている。上下方向から見て、複数の突出部３７４は、収容部３７Ｄの外周面のうち円弧状の領域において略等間隔に配置されている。より詳細には、複数の突出部３７４は、収容部３７Ｄの外周面のうち円弧状の領域において略１２０度の間隔で配置されている。
【０１５２】
挿入部３Ｄの下面３７５（収容部３７Ｄの下面）には、開口部３７５０が形成されている。開口部３７５０を通して、複数（図１３では６つ）の表示灯１３が露出している。
【０１５３】
６つの表示灯１３のうち１つの表示灯１３（以下、表示灯１３Ｄとも称す）は、ハブ装置１Ｄの特定の状態に応じて点灯状態が変化する。これにより、表示灯１３Ｄは、特定の状態を表示する。本実施形態５では、特定の状態は、ハブ装置１ＤがＢｌｕｅＴｏｏｔｈ（登録商標）等の規格に準拠した近距離無線通信を行っているか否かの状態である。例えば、ハブ装置１Ｄが近距離無線通信を行っているとき、表示灯１３Ｄが点灯し、ハブ装置１Ｄが近距離無線通信を行っていないとき、表示灯１３Ｄが消灯する。
【０１５４】
６つの表示灯１３のうち残りの５つの表示灯は、６つの端子部７のうち５つの端子部７と一対一で対応する。各表示灯１３は、５つの端子部７のうち対応する端子部における通信状態に応じて、点灯状態が変化する。
【０１５５】
複数の端子部７は、挿入本体３５のうち、上下方向に沿った面３５３に設けられている。各端子部７を覆うカバー１１は、上下方向と直交する一方向に開口しており、端子部７は、該一方向から見て露出している。端子部７には、該一方向から複数の配線Ｗ１、Ｗ２、Ｗ３を抜き差し可能である。これにより、端子部７が例えば上からのみ複数の配線Ｗ１、Ｗ２、Ｗ３を抜き差し可能に構成されている場合と比較して、端子部７に水滴及び埃等が付着する可能性を低減できる。
【０１５６】
ボディ２Ｄは、キャップ１４を更に有している。キャップ１４は、有底筒状に形成されている。図１４に示すように、キャップ１４の底部には、複数の貫通孔１４１が形成されている。キャップ１４の底部の構造は、複数の貫通孔１４１が形成されたハニカム構造である。
【０１５７】
キャップ１４は、挿入部３Ｄ及び延長部４Ｄからなる構造を上から覆っている。挿入部３Ｄ及び延長部４Ｄはそれぞれ、内部に空間を有しており、挿入部３Ｄの内部の空間と延長部４Ｄの内部の空間とはつながって１つの空間ＳＰ２（ボディ２Ｄの内部の空間。図１５参照）を形成している。キャップ１４は、挿入部３Ｄ及び延長部４Ｄの内部の空間を覆っている。また、ハブ装置１Ｄでは、挿入部３Ｄ及び延長部４Ｄの内部の空間で生じる熱を、キャップ１４の複数の貫通孔１４１を通して排熱することができる。
【０１５８】
上から見て、キャップ１４の外形形状は、挿入部３Ｄ及び延長部４Ｄからなる構造の外形形状と略一致している。すなわち、上から見て、キャップ１４の形状は、切欠きを有する円状である。キャップ１４をこのような形状にすることで、上から見たキャップ１４の外形の大きさを確保できる。これにより、挿入部３Ｄ及び延長部４Ｄの内部の空間で生じる熱の排熱を効率良く行える。
【０１５９】
図１５に示すように、ハブ装置１Ｄは、複数（図１５では６つ）の実装基板１５１〜１５６と、複数（図１５では２つ）のヒートシンク１７、１８と、を更に備えている。複数の実装基板１５１〜１５６及び複数のヒートシンク１７、１８は、ボディ２Ｄの内部の空間ＳＰ２、すなわち、挿入部３Ｄ及び延長部４Ｄの内部の空間に配置されている。複数の実装基板１５１〜１５５及び複数のヒートシンク１７、１８の少なくとも一部は、挿入本体３５に収容されている。実装基板１５６は、収容部３７Ｄに収容されている。
【０１６０】
複数の実装基板１５１〜１５６の各々は、基板と、基板に実装された少なくとも１つの電子部品１６と、を含む。より詳細には、実装基板１５１は基板１５１０を含む。実装基板１５２は基板１５２０を、実装基板１５３は基板１５３０を、実装基板１５４は基板１５４０を、実装基板１５５は基板１５５０を、実装基板１５６は基板１５６０を含む。
【０１６１】
実装基板１５１は、電源基板である。すなわち、実装基板１５１には、電源回路が形成されている。電源回路は、商用電源ＰＳ１（図１参照）等の電源から出力され電力変換器１２０（図１参照）で変換された電力を所望の電圧の電力に変換し、ハブ装置１Ｄのうち電源回路以外の回路に供給する。電源回路は、例えば、降圧チョッパを含み、降圧チョッパは、電子部品１６としてのスイッチング素子を複数個含んでいる。スイッチング素子は、例えば、トランジスタからなる。
【０１６２】
実装基板１５１は、挿入部３Ｄ及び延長部４Ｄの内部の空間のうち上部に配置されている。より詳細には、実装基板１５１の少なくとも一部は、延長部４Ｄの内部の空間に配置されており、延長部４Ｄは、挿入部３Ｄの上端付近から突出している。実装基板１５１の基板１５１０の厚さ方向は、上下方向に沿っている。
【０１６３】
ヒートシンク１７は、例えば、アルミニウムを材料として形成されている。ヒートシンク１７は、ベース１７１と、複数のフィン１７２と、を有している。ベース１７１は、板状に形成されている。ベース１７１の厚さ方向は、上下方向に沿っている。上下方向から見たベース１７１の形状は、挿入部３Ｄ及び延長部４Ｄの内縁に沿った形状である。ベース１７１は、挿入部３Ｄ及び延長部４Ｄの内部の空間を上から覆っている。複数のフィン１７２は、ベース１７１の上面から突出している。
【０１６４】
ヒートシンク１７は、実装基板１５１の上に配置されている。ヒートシンク１７のベース１７１は、実装基板１５１の基板１５１０の上面に配置されたスイッチング素子等の複数の電子部品１６のうち、少なくとも一部の電子部品１６に接している。また、ヒートシンク１７は、少なくとも一部の電子部品１６に接する複数の突起部１７３を有している。複数の突起部１７３は、ベース１７１の下面から突出している。
【０１６５】
ヒートシンク１７の上には、キャップ１４が配置されている。ヒートシンク１７は、挿入部３Ｄ及び延長部４Ｄの内部の空間で発生する熱を、キャップ１４を通してハブ装置１Ｄの外部に放熱する。ヒートシンク１７は、例えば、基板１５１０に実装されたトランジスタ等の電子部品１６から受け取った熱を、キャップ１４を通してハブ装置１Ｄの外部に放熱する。
【０１６６】
基板１５２０、１５３０、１５４０、１５５０は、基板１５１０の下に配置されている。また、基板１５２０の下に基板１５５０が配置されており、基板１５２０と基板１５５０との間に基板１５３０と基板１５４０とが配置されている。基板１５２０、１５５０の各々の厚さ方向は、上下方向に沿っている。基板１５３０、１５４０の厚さ方向は、上下方向と直交する一方向に沿っており、基板１５３０、１５４０は、該一方向に並んでいる。
【０１６７】
基板１５２０、１５３０、１５４０、１５５０には、ハブ装置１Ｄとハブ装置１Ｄの外部の複数の機器１００（図１参照）との間の通信に関わる部品が実装されている。基板１５２０には、１つの端子部７（図１３参照）と、端子部７を覆うカバー１１と、複数の電子部品１６とが実装されている。基板１５５０には、５つの端子部７（図１３参照）と、５つの端子部７を覆う５つ（図１５では１つのみを図示）のカバー１１と、複数の電子部品１６とが実装されている。基板１５３０、１５４０にはそれぞれ、複数の電子部品１６が実装されている。
【０１６８】
ヒートシンク１８は、例えば、アルミニウムを材料として形成されている。ヒートシンク１８は、ベース１８１と、複数のフィン１８２と、を有している。ベース１８１は、板状に形成されている。ベース１８１の厚さ方向は、上下方向と直交する一方向に沿っている。複数のフィン１８２は、ベース１８１から該一方向に突出している。
【０１６９】
ベース１８１は、基板１５４０に実装された複数の電子部品１６のうち、少なくとも一部の電子部品１６に接している。また、ヒートシンク１８は、少なくとも一部の電子部品１６に接する複数の突起部１８３を有している。複数の突起部１８３は、ベース１８１から突出している。また、ベース１８１は、ヒートシンク１７のベース１７１に機械的にかつ熱的に結合されている。
【０１７０】
ヒートシンク１８は、挿入部３Ｄ及び延長部４Ｄの内部の空間で発生する熱を、ヒートシンク１７に伝導する。ヒートシンク１８は、例えば、基板１５４０に実装された電子部品１６から受け取った熱を、ヒートシンク１７に伝導する。
【０１７１】
基板１５６０は、基板１５５０の下に配置されている。基板１５６０の厚さ方向は、上下方向に沿っている。基板１５６０に形成された配線は、複数の表示灯１３に電気的に接続されている。
【０１７２】
上述の通り、収容部３７Ｄの下面３７５に形成された開口部３７５０を通して、複数の表示灯１３が露出している。より詳細には、挿入部３Ｄに蓋部６Ｄが取り付けられていない状態において、複数の表示灯１３が構造体３００（天井材）の下の室内の空間に露出する。一方で、挿入部３Ｄに蓋部６Ｄが取り付けられている状態では、１つの表示灯１３Ｄは、蓋部６Ｄの挿通孔６２を通して構造体３００（天井材）の下の室内の空間に露出し、残りの５つの表示灯１３は、蓋部６Ｄに覆われているため、室内の空間に露出しない。
【０１７３】
また、上述の通り、基板１５１０は、挿入部３Ｄ及び延長部４Ｄの内部の空間のうち上部に配置されている。基板１５１０は、複数の基板１５１０、１５２０、１５３０、１５４０、１５５０、１５６０の中で、最も上に配置されている。そのため、基板１５１０を含む実装基板１５１で発生する熱をボディ２Ｄの上へ排熱しやすい。さらに、実装基板１５１に隣接してヒートシンク１７が設けられているため、ヒートシンク１７が無い場合と比較して、実装基板１５１で発生する熱の排熱が効率的に行われる。実装基板１５１に形成された電源回路は、発熱源となるトランジスタを含むため、実装基板１５１における発熱量は実装基板１５２〜１５５の各々における発熱量よりも大きくなりやすい。そこで、上記のように実装基板１５１で発生する熱の排熱を効率的に行うことで、ボディ２Ｄの内部の空間ＳＰ２の温度上昇の低減を図ることができる。
【０１７４】
図１１に示すように、蓋部６Ｄは、円盤状である。蓋部６Ｄの中心には、挿通孔６２が形成されている。蓋部６Ｄは、蓋部６Ｄを取付部８Ｄに取り付けるための４つの突起６１１Ｄを有している。４つの突起６１１Ｄが、取付部８Ｄに引っ掛けられることにより、蓋部６Ｄが取付部８Ｄに取り付けられる。
【０１７５】
次に、取付部８Ｄの構造について図１１、図１２を参照して説明する。
【０１７６】
取付部８Ｄは、筒状部８１Ｄと、複数（３つ）の羽部８８と、複数（３つ）の支柱８８１と、ストッパ８９と、を有している。
【０１７７】
筒状部８１Ｄは、円筒状に形成されている。筒状部８１Ｄの軸方向は、上下方向に沿っている。筒状部８１Ｄには、蓋部６Ｄの４つの突起６１１Ｄが挿入される４つの取付孔８１２が形成されている。
【０１７８】
ストッパ８９は、円環状に形成されている。ストッパ８９は、筒状部８１Ｄに結合されている。ストッパ８９は、筒状部８１Ｄの下端から筒状部８１Ｄの径方向外側に向かって突出している。
【０１７９】
複数の支柱８８１は、筒状部８１Ｄに保持されている。複数の羽部８８及び複数の支柱８８１の構成は、実施形態１と同様なので、説明を省略する。
【０１８０】
取付部８Ｄは、複数（３つ）のばね部８２Ｄ（図１１、図１４参照）と、複数（３つ）の突台部８３Ｄ（図１１参照：図１１では１つのみを図示）と、を更に有している。３つのばね部８２Ｄは、筒状部８１Ｄに固定されている。３つのばね部８２Ｄは、筒状部８１Ｄの内周面付近に配置されている。３つのばね部８２Ｄは、筒状部８１Ｄの周方向において略等間隔に並んでいる。３つのばね部８２Ｄは、板ばねである。３つのばね部８２Ｄは、挿入部３Ｄの３つの突出部３７４と一対一で対応している。３つの突台部８３Ｄは、筒状部８１Ｄの内周面から突出している。３つの突台部８３Ｄは、３つのばね部８２Ｄと一対一で対応している。３つの突台部８３Ｄはそれぞれ、対応するばね部８２Ｄに隣接している。３つのばね部８２Ｄはそれぞれ、対応する突台部８３Ｄとの間に、対応する突出部３７４を保持する（挟む）。
【０１８１】
次に、図１１を参照して、ハブ装置１Ｄを構造体３００に取り付ける手順の一例を説明する。
【０１８２】
まず、実施形態１と同様に、取付部８Ｄが構造体３００に取り付けられる。すなわち、取付部８Ｄは、構造体３００に形成された孔３３０に挿入される。取付部８Ｄが孔３３０に挿入されるときは、作業者の操作により、２つの羽部８８の回転角は、第１の回転角にされる。取付部８Ｄが孔３３０に挿入された後、作業者の操作により、２つの羽部８８が略９０度回転させられ、２つの羽部８８の回転角は、第２の回転角にされる。２つの羽部８８の回転角が第２の回転角となることで、２つの羽部８８が孔３３０の外まで延びて、構造体３００の第１の面３０１に接する。すなわち、取付部８Ｄは、２つの羽部８８が構造体３００の第１の面３０１に接するように構造体３００に載せ置かれる。
【０１８３】
次に、支柱８８１を回転させ、羽部８８を支柱８８１の軸方向に移動させることで、２つの羽部８８とストッパ８９との間に構造体３００を挟む（図１５参照）。以上により、取付部８Ｄが構造体３００に取り付けられる。
【０１８４】
一方で、ボディ２Ｄに設けられた複数の端子部７には、複数の配線Ｗ１、Ｗ２、Ｗ３が電気的に接続される。さらに、複数の配線Ｗ１、Ｗ２、Ｗ３は、保持部材５Ｄに保持される。複数の端子部７に複数の配線Ｗ１、Ｗ２、Ｗ３が電気的に接続され、複数の配線Ｗ１、Ｗ２、Ｗ３が保持部材５Ｄに保持され、取付部８Ｄが構造体３００の第１の面３０１に載せ置かれた後、ボディ２Ｄは、取付部８Ｄに取り付けられる。
【０１８５】
より詳細には、まず、ボディ２Ｄが、構造体３００に形成された孔３３０に挿入される。次に、ボディ２Ｄが回転させられる。これにより、３つの突出部３７４がそれぞれ、突台部８３Ｄに載せ置かれ、かつ、対応するばね部８２Ｄと突台部８３Ｄとの間に保持される（挟まれる）位置に移動する。これにより、ボディ２Ｄが取付部８Ｄに取り付けられる。すなわち、ボディ２Ｄが、取付部８Ｄを介して構造体３００に取り付けられる。また、突出部３７４が突台部８３Ｄから離れるようにボディ２Ｄが取付部８Ｄに対して回転することが、ばね部８２Ｄのばね力により抑制される。
【０１８６】
その後、筒状部８１Ｄに形成された４つの取付孔８１２（図１２参照）に、蓋部６Ｄの４つの突起６１１Ｄが挿入されることで、４つの突起６１１Ｄが筒状部８１Ｄに引っ掛けられる。これにより、蓋部６Ｄが筒状部８１Ｄに取り付けられる。
【０１８７】
以上により、ハブ装置１Ｄが構造体３００に取り付けられる。また、ハブ装置１Ｄを構造体３００に取り付ける際とは反対の作業により、ハブ装置１Ｄを構造体３００から取り外すことができる。
【０１８８】
なお、ハブ装置１Ｄを構造体３００に取り付けてから、蓋部６Ｄを筒状部８１Ｄから取り外すと、複数の表示灯１３がボディ２Ｄの下の空間に露出する。したがって、ボディ２Ｄが取付部８Ｄを介して構造体３００に取り付けられた状態であっても、各表示灯１３の点灯状態を見ることで、ハブ装置１Ｄの通信状態を確認できる。また、蓋部６Ｄが筒状部８１Ｄに取り付けられた状態であっても、蓋部６Ｄの挿通孔６２を通して露出した１つの表示灯１３Ｄの点灯状態を見ることで、表示灯１３Ｄに対応した通信状態を確認できる。本実施形態５では、上述の通り、表示灯１３Ｄは、ハブ装置１Ｄが近距離無線通信を行っているか否かの状態を表示する。
【０１８９】
ハブ装置１Ｄは、蓋部６Ｄを筒状部８１Ｄから取り外した状態で構造体３００に取り付けられて使用されてもよい。
【０１９０】
（実施形態５の変形例）
以下に、実施形態５の変形例を列挙する。以下の変形例は、適宜組み合わせて実現されてもよい。
【０１９１】
ハブ装置１Ｄは、キャップ１４の複数の貫通孔１４１を通って浸入する水を排水するための排水構造を有していてもよい。例えば、ボディ２Ｄの内部に傾斜面及び排水溝のうち少なくとも一方を設け、傾斜面及び排水溝のうち少なくとも一方に沿って水がボディ２Ｄの外に排水されるように構成されていてもよい。水は、例えば、ハブ装置１Ｄの側面又は底面に設けられた貫通孔から排水されればよい。
【０１９２】
複数の配線Ｗ１、Ｗ２、Ｗ３のうちの少なくとも１つは、フラットケーブルであってもよい。そして、蓋部６Ｄと取付部８Ｄ又はボディ２Ｄとの間には、フラットケーブルを通すための隙間が設けられていてもよい。あるいは、蓋部６Ｄ、取付部８Ｄ又はボディ２Ｄには、フラットケーブルを通すための貫通孔が形成されていてもよい。つまり、ハブ装置１Ｄは、フラットケーブルを通すための隙間又は貫通孔等の挿通部を備えていてもよい。これにより、蓋部６Ｄが筒状部８１Ｄに取り付けられた状態で、フラットケーブルをハブ装置１Ｄの外部（室内）に引き出された状態にできる。フラットケーブルの厚みは、例えば、１ｍｍ程度である。フラットケーブルの幅は、例えば、１０ｍｍ程度である。上記の隙間及び貫通孔は、例えば、フラットケーブルの寸法と等しい大きさに形成される。ここで、「等しい」とは、厳密に一致する場合に限定されず、許容される誤差の範囲内で異なる場合を含む。許容される誤差は、例えば、５％以下の誤差又は１０％以下の誤差である。なお、上記の隙間及び貫通孔は、フラットケーブルの寸法よりも大きくてもよい。
【０１９３】
ハブ装置１Ｄは、複数の配線Ｗ１、Ｗ２、Ｗ３のうちの少なくとも１つをハブ装置１Ｄの下に引き出し可能に構成されていてもよい。例えば、配線Ｗ１、Ｗ２又はＷ３としてのフラットケーブルを通すための上述の隙間又は貫通孔を設けることで、フラットケーブルをハブ装置１Ｄの下に引き出し可能である。また、ハブ装置１Ｄの下に引き出される配線Ｗ１、Ｗ２又はＷ３はフラットケーブルに限らず、任意の配線であってもよい。天井材にハブ装置１Ｄが取り付けられた部屋に設置された機器１００（図１参照）は、ハブ装置１Ｄから下に引き出された配線Ｗ１、Ｗ２又はＷ３を介して、ハブ装置１Ｄとの間で電力の伝送及び通信が可能である。例えば、ハブ装置１Ｄは、天井に設置された機器１００に電力を供給できる。
【０１９４】
ボディ２Ｄの内部の空間ＳＰ２には、ファンが配置されていてもよい。ファンを駆動することにより、ハブ装置１Ｄの排熱効率の向上を図ることができる。
【０１９５】
複数の端子部７及び複数の表示灯１３の配置は、実施形態５に示した配置に限定されない。例えば、複数の端子部７のうち少なくとも１つは、挿入部３Ｄ（収容部３７Ｄ）の下面３７５に配置されていてもよい。複数の表示灯１３のうち少なくとも１つは、挿入部３Ｄ（挿入本体３５）のうち上下方向に沿った面３５３（前面）に配置されていてもよい。すなわち、複数の端子部７の少なくとも一部及び複数の表示灯１３の少なくとも一部は、下から見て露出するように配置されていてもよいし、上下方向と交差する方向（例えば、上下方向と直交する方向）から見て露出するように配置されていてもよい。なお、ハブ装置１Ｄは、下から見て露出する端子部７と、上下方向と交差する方向から見て露出する端子部７と、の両方を備えていてもよい。また、ハブ装置１Ｄは、下から見て露出する表示灯１３と、上下方向と交差する方向から見て露出する表示灯１３と、の両方を備えていてもよい。
【０１９６】
（実施形態５及び実施形態５の変形例のまとめ）
以上説明した実施形態５及び実施形態５の変形例から、以下の態様が開示されている。
【０１９７】
ハブ装置１Ｄは、実装基板１５１（及び１５２〜１５６）を更に備える。実装基板１５１（及び１５２〜１５６）は、電子部品１６と、電子部品１６が実装された基板１５１０（又は１５２０、１５３０、１５４０、１５５０）と、を含む。ボディ２Ｄは、内部に空間ＳＰ２を有する。実装基板１５１（及び１５２〜１５６）は、ボディ２Ｄの内部の空間ＳＰ２に配置されている。
【０１９８】
上記の構成によれば、ボディ２Ｄの内部の空間ＳＰ２を有効に用いることができる。
【０１９９】
また、ハブ装置１Ｄにおいて、ボディ２Ｄは、延長部４Ｄを更に有する。延長部４Ｄは、挿入部３Ｄの上下方向の中心よりも上部につながっている。延長部４Ｄは、第１の面３０１と向かい合う側から見て挿入部３Ｄを基点として第１の面３０１に沿った方向に延びている。延長部４Ｄは、内部に空間を有する。実装基板１５１の少なくとも一部は、延長部４Ｄの内部の空間に配置されている。
【０２００】
上記の構成によれば、実装基板１５１の配置スペースを容易に確保できる。また、実装基板１５１の少なくとも一部がボディ２Ｄの上側の延長部４Ｄの内部の空間に配置されている。そのため、実装基板１５１の全体がボディ２Ｄの内部の空間ＳＰ２の下側に配置されている場合と比較して、ボディ２Ｄの内部の空間ＳＰ２の温度上昇の低減を図ることができる。
【０２０１】
また、ハブ装置１Ｄにおいて、電子部品１６は、スイッチング素子である。
【０２０２】
上記の構成によれば、スイッチング素子はスイッチング時に熱を発生する場合があるが、実装基板１５１の少なくとも一部がボディ２Ｄの上側の延長部４Ｄの内部の空間に配置されているため、ボディ２Ｄの内部の空間ＳＰ２の温度上昇の低減を図ることができる。
【０２０３】
また、ハブ装置１Ｄは、ヒートシンク１７（及び１８）を更に備える。ヒートシンク１７（及び１８）は、実装基板１５１（及び１５４）に接する。
【０２０４】
上記の構成によれば、ボディ２Ｄの内部の空間ＳＰ２の温度上昇の低減を図ることができる。
【０２０５】
（変形例）
以下の変形例１〜７は、実施形態１〜５のいずれに適用されてもよい。以下の変形例１〜７は、ハブ装置１に特定の機能を有する構成（ここでは、「機能部」と総称する）を付加した変形例である。変形例１〜７によれば、ハブ装置１とは別に設けられる機器（以下、「機能機器」と称す）に機能部が備えられている場合と比較して、機能部の設置スペースの確保が容易となる。また、一態様において、機能部は、ネットワーク又はハブ装置１の外部の機器１００に接続される。ハブ装置１とは別に設けられる機能機器に機能部が備えられている場合は、機能機器とハブ装置１とを配線Ｗ１等により電気的に接続することで、機能機器をハブ装置１を介してネットワーク又はハブ装置１の外部の機器１００に接続することが考えられる。しかし、変形例１〜７では、機能部がハブ装置１に備えられているため、接続の手間を低減できる。
【０２０６】
実施形態５において、機能部は、ハブ装置１Ｄの収容部３７Ｄに収容されていてもよい。より具体的には、収容部３７Ｄに収容された実装基板１５６が機能部を有していてもよい。そして、ユーザは、それぞれ異なる機能を有する機能部を収容した複数の収容部３７Ｄの中から、ハブ装置１Ｄの用途に応じて収容部３７Ｄを選択して挿入本体３５に装着してもよい。
【０２０７】
（変形例１）
ハブ装置１は、無線ＬＡＮ機能を有する通信部を備えていてもよい。通信部は、例えば、無線アクセスポイントとして機能する。通信部は、ネットワークに接続されたルータと有線通信又は無線通信を行う。すなわち、ルータは、ハブ装置１と通信する複数の機器１００のうちの１つである。通信部がルータと有線通信を行う場合は、通信部とルータとの接続は、端子部７に電気的に接続される通信用の配線（例えば、配線Ｗ１）によりなされる。ルータは、例えば、天井裏の空間に配置される。
【０２０８】
また、通信部は、ネットワークカメラ、パーソナルコンピュータ及び携帯端末等の１又は複数の機器１００と無線通信を行う。通信部は、ルータと１又は複数の機器１００とを相互に接続する。これにより、通信部は、１又は複数の機器１００をルータを介してネットワークに接続する。
【０２０９】
また、ハブ装置１と、無線ＬＡＮに対応していない１又は複数の機器１００との通信は、通信用の配線（例えば、配線Ｗ１）を用いた有線通信により行われる。これにより、通信部は、１又は複数の機器１００をルータを介してネットワークに接続する。
【０２１０】
本変形例１では、無線ＬＡＮ機能を有する通信部をハブ装置１が備え、ハブ装置１は天井材等の構造体３００に取り付けられる。これにより、ハブ装置１は、机の上等に置かれる通信部と比較して、ハブ装置１の設置場所において邪魔になる可能性が低い。つまり、ハブ装置１の設置場所の空間が圧迫される可能性を低減しつつ、ネットワーク環境を構築できる。
【０２１１】
本変形例１のようにハブ装置１が無線アクセスポイントとしての機能を有する場合に、ハブ装置１は、端子部７を１つのみ備えていてもよい。１つの端子部７には、通信用の配線（例えば、配線Ｗ１）を電気的に接続可能である。端子部７は、通信用の配線を介して、機器１００としてのルータに電気的に接続される。ハブ装置１と、ルータ以外の機器１００との通信は、通信部による無線通信により行われる。
【０２１２】
なお、ハブ装置１は、ルータを更に備えていてもよい。ハブ装置１のルータは、通信用の配線を介して、モデム等の回線終端装置に接続される。回線終端装置は、ネットワークに接続される。
【０２１３】
また、ハブ装置１は、回線終端装置を更に備えていてもよい。ハブ装置１の回線終端装置は、通信用の配線を介して、ネットワークに接続される。
【０２１４】
また、ハブ装置１は、ＳＩＭカードが挿入されるＳＩＭカードスロットを備えていてもよい。
【０２１５】
（変形例２）
ハブ装置１は、複数の配線Ｗ１、Ｗ２、Ｗ３を介してハブ装置１に電気的に接続された複数の機器１００の動作を制御するコントローラを備えていてもよい。さらに、ハブ装置１は、周囲の状態を検知する１又は複数のセンサを備えていてもよい。そして、コントローラは、１又は複数のセンサの検知結果に基づいて複数の機器１００の動作を制御してもよい。
【０２１６】
なお、センサ及びコントローラのうち少なくとも一方は、ハブ装置１に備えられていなくてもよく、センサ及びコントローラのうち少なくとも一方がハブ装置１の外部の構成であってもよい。ハブ装置１とセンサ及びコントローラとの通信は、通信用の配線（例えば、配線Ｗ１）を介した有線通信であってもよいし、無線通信であってもよい。
【０２１７】
センサの一例は、ＬＰＳ(Local Positioning System)を利用した位置センサである。コントローラは、例えば、ＬＰＳにより人の存在の有無及び人の位置を検知し、検知結果に応じて照明器具、空調機器（エアーコンディショナ、換気装置、加湿器、除湿器等）及び音響機器等の機器１００を制御する。
【０２１８】
また、センサの別の一例は、熱線センサ、超音波センサ、光電センサ又は赤外線センサ等を利用した人感センサである。あるいは、センサは、例えば、カメラで撮影した画像を解析して人を認識する画像センサである。コントローラは、例えば、人感センサ又は画像センサにより人の存在の有無を検知し、検知結果に応じて照明器具、空調機器及び音響機器等の機器１００を制御する。
【０２１９】
また、センサの別の一例は、温度センサ、湿度センサ、又は明るさセンサ等の環境センサである。コントローラは、例えば、環境センサの検知結果に応じて照明器具及び空調機器等の機器１００を制御する。
【０２２０】
また、センサの別の一例は、空気質センサである。空気質センサは、空気中の汚染物質濃度又は二酸化炭素濃度等を検知する。コントローラは、例えば、空気質センサで検知された二酸化炭素濃度が閾値よりも高い場合に、機器１００としての空調機器を制御して換気を行う。
【０２２１】
また、センサの別の一例は、心拍センサ等の生体センサである。心拍センサは、例えば、電波を送波し、送波された電波が人で反射されて生じる反射波を受波する。そして、心拍センサは、受波した反射波に基づいて人の心拍数を検知する。生体センサの検知結果は、例えば、ハブ装置１のメモリに記憶される。
【０２２２】
また、センサの別の一例は、熱感知センサである。熱感知センサは、火災を検知する。熱感知センサが火災を検知すると、ハブ装置１は、防災機器と通信して、警報を発令させたり、スプリンクラーを作動させたりする。
【０２２３】
また、ハブ装置１は、空調機器等を備えていてもよい。例えば、ハブ装置１は、換気装置、水冷装置、及び、空気清浄機等を備えていてもよい。
【０２２４】
また、ハブ装置１は、香りを発生する装置を備えていてもよい。これにより、例えば、ハブ装置１が設置された室内の人が快いと感じる香りを提供できる。この装置は、例えば、人感センサの検知結果に応じて香りを発生する。
【０２２５】
また、ハブ装置１は、防虫作用を有する装置を備えていてもよい。例えば、ハブ装置１は、香りによる防虫作用を有する装置、又は、超音波による防虫作用を有する装置を備えていてもよい。この装置は、例えば、温度センサ及び湿度センサ等の環境センサ、及び、人感センサの検知結果に応じて、防虫作用の有無を切り替える。
【０２２６】
また、ハブ装置１は、デジタルサイネージシステムと通信してもよい。デジタルサイネージシステムは、例えば、施設のエスカレータ横に設置される。一方で、ハブ装置１は、例えば、エスカレータの乗り場の天井に設置される。デジタルサイネージシステムには、センサの検知結果がハブ装置１を介して入力される。デジタルサイネージシステムは、例えば、センサの検知結果に応じて表示が切り替わるディスプレイを含む。
【０２２７】
（変形例３）
ハブ装置１は、ＬＥＤ等の光源を含む点灯部を備えていてもよい。点灯部は、例えば、ハブ装置１のボディ２の下面に配置される。点灯部は、例えば、非常灯又は誘導灯として用いられる。点灯部は、例えば、ハブ装置１と通信するコントローラからの指令を受けて点灯状態が変化する。商用電源ＰＳ１の停電時に、点灯部は、非常用電源（例えば、ＵＰＳ（Uninterruptible Power Supply；無停電電源装置））から電力の供給を受けて、コントローラからの指令に応じて点灯する。ハブ装置１とコントローラとの通信は、通信用の配線（例えば、配線Ｗ１）を介した有線通信であってもよいし、無線通信であってもよい。
【０２２８】
ハブ装置１の点灯部は、ハブ装置１の外部の照明器具と連動して点灯状態が変化するように制御されてもよい。例えば、コントローラからの指令により点灯部と照明器具とが連動してもよいし、点灯部と照明器具との間で通信することにより点灯部と照明器具とが連動してもよい。点灯部と照明器具とが連動することで、例えば、点灯及び消灯のタイミングを揃えたり、点灯及び消灯のタイミングを一定のタイミングでずらしたりすることができる。
【０２２９】
また、点灯部は、変形例２のセンサ（人感センサ等）の検知結果に応じて点灯状態が変化するように制御されてもよい。
【０２３０】
また、点灯部は、ハブ装置１が設置された部屋への人の入退室を管理する入退室管理システムの出力に基づいて、点灯状態が変化するように制御されてもよい。入退室管理システムは、例えば、人の入退室時に、人が所持するＩＣタグから情報を読み取ることで、人の入退室を管理する。一例として、人が入室すると、点灯部が点灯し、人が退室すると、点灯部が消灯する。
【０２３１】
ハブ装置１は、バッテリを備えていてもよい。ハブ装置１は、バッテリを非常用電源として利用してもよい。また、点灯部は、ユーザの操作により点灯状態が変化するように構成されていてもよい。また、点灯部は、非常灯又は誘導灯に限らず、例えば、停電時以外にも利用できる室内灯として用いられてもよい。
【０２３２】
ハブ装置１は、バッテリと電気的に接続される端子を備えていてもよい。ハブ装置１がバッテリを予め備えていない場合であっても、ハブ装置１は、端子を介してバッテリから電力の供給を受けることができる。また、ハブ装置１は、端子を介してバッテリを充電してもよい。
【０２３３】
ハブ装置１は、ハブ装置１から１又は複数の機器１００へのＰｏＥによる給電量が所定のリミット値を超える場合に、バッテリから電力の供給を受け付けてもよい。そして、それ以外の場合に、ハブ装置１は、バッテリから電力の供給を受け付けなくてもよい。
【０２３４】
（変形例４）
ハブ装置１は、カメラを備えていてもよい。カメラは、ハブ装置１が設置された空間（室内空間等）を撮影し、画像データ（静止画像データ又は動画データ）を生成する。カメラで生成された画像データは、例えば、ネットワークを介してハブ装置１の外部の装置へ出力される。
【０２３５】
なお、ハブ装置１は、ハブ装置１の外部に設置されたカメラと画像データの出力先の装置との間の通信を中継してもよい。ハブ装置１とカメラとの通信は、通信用の配線（例えば、配線Ｗ１）を介した有線通信であってもよいし、無線通信であってもよい。
【０２３６】
また、ハブ装置１は、カメラで生成された画像データをハブ装置１のメモリに記憶させてもよい。あるいは、ハブ装置１は、カメラで生成された画像データをＳＤカード等のメモリカードに記憶させてもよい。画像データをＳＤカードに記憶させるために、ハブ装置１は、ＳＤカードが挿入されるＳＤカードスロットを備えていてもよい。
【０２３７】
また、カメラは、テレビ電話に使用する画像を撮影する機器として用いられてもよい。
【０２３８】
（変形例５）
ハブ装置１は、スピーカ及びマイクロフォンのうち少なくとも一方を備えていてもよい。スピーカ及びマイクロフォンは、例えば、テレビ電話の音声の入出力用の機器として用いられる。スピーカ及びマイクロフォンは、例えば、ハブ装置１と通信するコントローラからの指令に応じて音（音声を含む）の出力及び入力受付けを行う。ハブ装置１とコントローラとの通信は、通信用の配線（例えば、配線Ｗ１）を介した有線通信であってもよいし、無線通信であってもよい。
【０２３９】
スピーカとしては、指向性スピーカを用いてもよい。指向性スピーカは、例えば、ハブ装置１の真下の空間において、その周囲の空間と比較して、スピーカからの音が聞こえやすいように音を出力する。
【０２４０】
また、スピーカとしては、ノイズキャンセリング機能を有した消音スピーカを用いてもよい。消音スピーカは、例えば、ハブ装置１の真下の空間とその周囲の空間との間の音の伝搬を抑制する。
【０２４１】
（変形例６）
ハブ装置１は、プロジェクタ機能を備えていてもよい。例えば、ハブ装置１は、スクリーンに画像を投影する投影機を備えていてもよい。ユーザの操作等により、投影機が画像を投影する。
【０２４２】
（変形例７）
ハブ装置１は、開閉する接点を有する接点装置からの接点信号の入力を受け付ける入力受付部を備えていてもよい。接点信号は、接点の開閉に応じて接点装置から出力される。ハブ装置１は、接点信号に応じた動作を行ってもよい。また、ハブ装置１は、接点信号を他の機器１００に送信してもよい。
【０２４３】
上述した各実施形態は、変形例も含めて、適宜組み合わせて実現されてもよい。
【符号の説明】
【０２４４】
１、１Ａ、１Ｂ、１Ｃ、１Ｄ  ハブ装置
２、２Ａ、２Ｂ、２Ｃ、２Ｄ  ボディ
３、３Ａ、３Ｂ、３Ｃ、３Ｄ  挿入部
４、４Ｂ、４Ｃ、４Ｄ  延長部
５、５Ａ、５Ｄ  保持部材
８９  ストッパ
７  端子部
８、８Ａ、８Ｄ  取付部
１１  カバー
１１１  面
１２  開口部
１２０  電力変換器
１５１〜１５６  実装基板
１５１０、１５２０、１５３０、１５４０、１５５０、１５６０  基板
１６  電子部品
１７、１８  ヒートシンク
３００  構造体
３０１  第１の面
３０２  第２の面
３３０  孔
４００  隠蔽部
ＰＳ１  商用電源（電源）
ＳＰ２  空間
Ｗ１、Ｗ２、Ｗ３  配線
【図１】
2020043329.tif 000003
【図２】
2020043329.tif 000004
【図３】
2020043329.tif 000005
【図４】
2020043329.tif 000006
【図５】
2020043329.tif 000007
【図６】
2020043329.tif 000008
【図７】
2020043329.tif 000009
【図８】
2020043329.tif 000010
【図９】
2020043329.tif 000011
【図１０】
2020043329.tif 000012
【図１１】
2020043329.tif 000013
【図１２】
2020043329.tif 000014
【図１３】
2020043329.tif 000015
【図１４】
2020043329.tif 000016
【図１５】
2020043329.tif 000017